(57)【要約】  ダイバーシティ受信装置は、キャリア群が多重化された周波数多重信号を復調して第１データキャリアと第１パイロットキャリアを出力する第１ブランチ（５）と、キャリア群が多重化された周波数多重信号を復調して第２データキャリアと第２パイロットキャリアを出力する第２ブランチ（６）と、第１ブランチ（５）と第２ブランチ（６）とで復調されるキャリア群の処理タイミングを同期させるタイミング調整部（７）と、第１データキャリアと第２データキャリアを合成もしくは選択する合成・選択部（８）と、第１ブランチ（５）の受信状態および第２ブランチ（６）の受信状態の少なくとも一方に基づいて、第１ブランチ（５）および第２ブランチ（６）の少なくとも一方の動作の停止と起動を制御する制御部（１０）を備える。
2008007490.tif 000002
【特許請求の範囲】
【請求項１】
データキャリアとパイロットキャリアを含むキャリア群が多重化された周波数多重信号を復調して第１データキャリアと第１パイロットキャリアを出力する第１ブランチと、
データキャリアとパイロットキャリアを含むキャリア群が多重化された周波数多重信号を復調して第２データキャリアと第２パイロットキャリアを出力する第２ブランチと、
前記第１ブランチで復調されるキャリア群と前記第２ブランチで復調されるキャリア群の処理タイミングを同期させるタイミング調整部と、
前記第１データキャリアと前記第２データキャリアを合成もしくは選択する合成・選択部と、
前記第１ブランチの受信状態および前記第２ブランチの受信状態の少なくとも一方に基づいて、前記第１ブランチおよび第２ブランチの少なくとも一方の動作の停止と起動を制御する制御部を備えるダイバーシティ受信装置。
【請求項２】
前記第１ブランチの受信状態を判定して判定結果を前記制御部に出力する第１判定部と、前記第２ブランチの受信状態を判定して判定結果を前記制御部に出力する第２判定部を更に備える請求の範囲第１項記載のダイバーシティ受信装置。
【請求項３】
前記第１判定部は、前記第１ブランチの受信状態に基づいて、前記第１ブランチを停止ブランチもしくは動作ブランチとして判定し、前記第２判定部は、前記第２ブランチの受信状態に基づいて、前記第２ブランチを停止ブランチもしくは動作ブランチとして判定する請求の範囲第２項記載のダイバーシティ受信装置。
【請求項４】
前記制御部は、前記停止ブランチが記憶する記憶値の初期化および前記停止ブランチのクロック信号の低減の少なくとも一つを行う請求の範囲第３項記載のダイバーシティ受信装置。
【請求項５】
前記制御部は、前記停止ブランチが記憶する記憶値の初期化を行ってから、前記停止ブランチのクロック信号の低減を行う請求の範囲第３項記載のダイバーシティ受信装置。
【請求項６】
前記第１ブランチと前記第２ブランチのそれぞれは、前記周波数多重信号に対する周波数オフセット量を補正する補正部を備え、
前記制御部は、前記停止ブランチが記憶する前記周波数オフセット量を保持したまま、前記初期化を行ってから、前記停止ブランチのクロック信号の低減を行う請求の範囲第３項記載のダイバーシティ受信装置。
【請求項７】
前記クロック信号の低減は、クロック信号の停止を含む請求の範囲第４項記載のダイバーシティ受信装置。
【請求項８】
前記第１判定部は、前記第１パイロットキャリアの振幅値が所定の閾値よりも大きい場合には前記第１ブランチを動作ブランチとして判定し、前記閾値以下の場合には前記第１ブランチを停止ブランチとして判定し、
前記第２判定部は、前記第２パイロットキャリアの振幅値が所定の閾値よりも大きい場合には前記第２ブランチを動作ブランチとして判定し、前記閾値以下の場合には前記第２ブランチを停止ブランチとして判定する請求の範囲第３項記載のダイバーシティ受信装置。
【請求項９】
前記第１判定部は、第１タイミングと、前記第１タイミングより時間的に後の第２タイミングのそれぞれにおいて前記第１パイロットキャリアの振幅値を算出し、前記第２タイミングにおける振幅値が、前記第１タイミングにおける振幅値に対して所定の閾値より大きい場合には、前記第１ブランチを動作ブランチとして判定し、前記閾値以下の場合には、前記第１ブランチを停止ブランチとして判定し、
前記第２判定部は、第１タイミングと、前記第１タイミングより時間的に後の第２タイミングのそれぞれにおいて前記第２パイロットキャリアの振幅値を算出し、前記第２タイミングにおける振幅値が、前記第１タイミングにおける振幅値に対して所定の閾値より大きい場合には、前記第２ブランチを動作ブランチとして判定し、前記閾値以下の場合には、前記第２ブランチを停止ブランチとして判定する請求の範囲第３項記載のダイバーシティ受信装置。
【請求項１０】
前記第１判定部は、第１タイミングと、前記第１タイミングより時間的に後の第２タイミングのそれぞれにおいて、前記第１パイロットキャリアの振幅値を算出し、前記第２タイミングにおける振幅値が、前記第１タイミングにおける振幅値に対して大きい場合には、前記第１ブランチを動作ブランチとして判定し、前記第２タイミングにおける振幅値が、前記第１タイミングにおける振幅値以下の場合には、前記第１ブランチを停止ブランチとして判定し、
前記第２判定部は、第１タイミングと、前記第１タイミングより時間的に後の第２タイミングのそれぞれにおいて、前記第２パイロットキャリアの振幅値を算出し、前記第２タイミングにおける振幅値が、前記第１タイミングにおける振幅値より大きい場合には、前記第２ブランチを動作ブランチとして判定し、前記第２タイミングにおける振幅値が、前記第１タイミングにおける振幅値以下の場合には、前記第２ブランチを停止ブランチとして判定する請求の範囲第３項記載のダイバーシティ受信装置。
【請求項１１】
前記第１判定部と前記第２判定部のそれぞれは、前記第１パイロットキャリアの振幅値と前記第２パイロットキャリアの振幅値との差分が所定の閾値より大きい場合には、前記振幅値の低いブランチを停止ブランチとして判定する請求の範囲第３項記載のダイバーシティ受信装置。
【請求項１２】
前記第１判定部は、所定のキャリア数の前記第１パイロットキャリアの振幅値を積算すると共に、所定のキャリア数の前記第１データキャリアの振幅値を積算し、前記第１パイロットキャリアの積算値が、前記第１データキャリアの積算値よりも大きい場合には、前記第１ブランチを動作ブランチとして判定し、前記第１パイロットキャリアの積算値が、前記第１データキャリアの積算値以下の場合には、前記第１ブランチを停止ブランチとして判定し、
前記第２判定部は、所定のキャリア数の前記第２パイロットキャリアの振幅値を積算すると共に、所定のキャリア数の前記第２データキャリアの振幅値を積算し、前記第２パイロットキャリアの積算値が、前記第２データキャリアの積算値よりも大きい場合には、前記第２ブランチを動作ブランチとして判定し、前記第２パイロットキャリアの積算値が、前記第２データキャリアの積算値以下の場合には、前記第２ブランチを停止ブランチとして判定する請求の範囲第３項記載のダイバーシティ受信装置。
【請求項１３】
前記制御部は、前記停止ブランチを起動する指示信号を受けた場合には、前記指示信号に基づいて前記停止ブランチに対して、クロック信号の動作を再開してから前記初期化を解除する請求の範囲第１項記載のダイバーシティ受信装置。
【請求項１４】
前記第１ブランチと前記第２ブランチのそれぞれは、前記周波数多重信号の所定の帯域を受信して受信信号を出力するチューナと、前記受信信号をアナログ信号からデジタル信号に変換するアナログデジタル変換部と、前記アナログデジタル変換部の出力を検波する検波部と、前記検波部の出力を時間軸の信号から周波数軸の信号に変換する時間周波数変換部を備える請求の範囲第１項記載のダイバーシティ受信装置。
【請求項１５】
前記周波数多重信号は、直交周波数分割多重信号である請求の範囲第１項記載のダイバーシティ受信装置。
【請求項１６】
データキャリアとパイロットキャリアを含むキャリア群が多重化された周波数多重信号を復調して第１データキャリアと第１パイロットキャリアを出力する第１ブランチと、
データキャリアとパイロットキャリアを含むキャリア軍が多重化された周波数多重信号を復調して第２データキャリアと第２パイロットキャリアを出力する第２ブランチを備え、
前記第１ブランチで復調されるキャリア群と前記第２ブランチで復調されるキャリア群の処理タイミングを同期させ、
前記第１データキャリアと前記第２データキャリアを合成もしくは選択し、
前記第１ブランチの受信状態および前記第２ブランチの受信状態の少なくとも一方に基づいて、前記第１ブランチおよび第２ブランチの少なくとも一方の動作の停止と起動を制御するダイバーシティ受信方法。
【請求項１７】
前記制御は、前記停止ブランチが記憶する記憶値の初期化および前記停止ブランチのクロック信号の低減の少なくとも一つを行う請求の範囲第１６項記載のダイバーシティ受信方法。
【発明の詳細な説明】
【技術分野】
【０００１】
本発明は、周波数多重信号、特に地上デジタル放送に用いられる直交周波数分割多重信号（以下、「ＯＦＤＭ信号」という）を受信するダイバーシティ受信装置およびダイバーシティ受信方法に関するものである。
【背景技術】
【０００２】
わが国においては、２００３年よりＩＳＤＢ−Ｔ方式により地上デジタル放送が開始された。また、欧州、北米、南米、アジア圏を始め、世界各国でアナログ放送がデジタル化され、地上デジタル放送が開始されつつある。これらに国の多くにおいて、日本におけるＩＳＤＢ−Ｔ方式と同等、あるいは準拠された技術が用いられ、特に、多数のキャリアが周波数軸において直交多重化されたＯＦＤＭ信号が用いられている。【０００３】
ＯＦＤＭ信号は、マルチパスに強い特徴を有しているが、更に受信精度を高めるために、周波数軸上に多重化されたキャリア毎のダイバーシティ受信を行うことが提案されている（例えば、特許文献１参照）。【０００４】
ここで、キャリア毎のダイバーシティ受信を行うためには、ダイバーシティ受信装置は、複数のブランチを備える必要がある。ここで、電波状態によっては、複数のブランチの内のいずれかのブランチでの受信状態が劣化することがある。【０００５】
このように受信状態の悪いブランチで復調されたキャリアを、ダイバーシティ受信におけるキャリア毎の合成に用いると、却って受信精度が劣化する問題が生じる。【０００６】
また、受信状態の悪いブランチでの復調動作をそのままにすると、受信精度の劣化を引き起こす上に、不要な消費電力を生じさせる問題がある。【０００７】
また、受信状態の悪いブランチでの復調動作を停止して停止後にブランチの復調動作を再開する場合に、停止時に記憶されているデータにより、ブランチが誤動作を起こすこともありえる。この場合には、ブランチの復調動作を再開した場合に、十分な受信精度を得るまでに余分な時間を要する問題もあった。
【特許文献１】特開２００４−２４２１９１号公報
【発明の開示】
【発明が解決しようとする課題】
【０００８】
そこで本発明は、ダイバーシティ受信に起因して生じる受信精度の劣化を防止しつつ、消費電力を削減できるダイバーシティ受信装置およびダイバーシティ受信方法を提供することを目的とする。
【課題を解決するための手段】
【０００９】
第１の発明に係るダイバーシティ受信装置は、データキャリアとパイロットキャリアを含むキャリア群が多重化された周波数多重信号を復調して第１データキャリアと第１パイロットキャリアを出力する第１ブランチと、データキャリアとパイロットキャリアを含むキャリア群が多重化された周波数多重信号を復調して第２データキャリアと第２パイロットキャリアを出力する第２ブランチと、第１ブランチで復調されるキャリア群と第２ブランチで復調されるキャリア群の処理タイミングを同期させるタイミング調整部と、第１データキャリアと第２データキャリアを合成もしくは選択する合成・選択部と、第１ブランチの受信状態および第２ブランチの受信状態の少なくとも一方に基づいて、第１ブランチおよび第２ブランチの少なくとも一方の動作の停止と起動を制御する制御部を備える。【００１０】
この構成により、ダイバーシティ受信での受信精度を劣化させる受信状態となったブランチのダイバーシティ受信への寄与度を低下できる。結果として、ダイバーシティ受信での受信精度の劣化が防止できる。また、受信状態の悪いブランチの動作の停止と起動を制御することで、消費電力の削減と動作の簡素化が実現できる。【００１１】
第２の発明に係るダイバーシティ受信装置では、第１の発明に加えて、第１ブランチの受信状態を判定して判定結果を制御部に出力する第１判定部と、第２ブランチの受信状態を判定して判定結果を制御部に出力する第２判定部を更に備える。【００１２】
この構成により、ダイバーシティ受信装置が備えている複数のブランチのそれぞれの受信状態の変動を把握できる。【００１３】
第３の発明に係るダイバーシティ受信装置では、第２の発明に加えて、第１判定部は、第１ブランチの受信状態に基づいて、第１ブランチを停止ブランチもしくは動作ブランチとして判定する、第２判定部は、第２ブランチの受信状態に基づいて、第２ブランチを停止ブランチである、もしくは動作ブランチとして判定する。【００１４】
この構成により、ダイバーシティ受信装置が有している複数のブランチのそれぞれの受信状態が把握された上で、ダイバーシティ受信にその復調結果が用いられるブランチと、復調結果が用いられないブランチが適切に区別される。【００１５】
第４の発明に係るダイバーシティ受信装置では、第３の発明に加えて、制御部は、停止ブランチが記憶する記憶値の初期化および停止ブランチのクロック信号の低減の少なくとも一つを行う。【００１６】
この構成により、ダイバーシティ受信にとって不使用となったブランチにおける消費電力を削減できる。加えて、記憶値の初期化により、動作停止時や動作再開時の誤動作を防止できる。【００１７】
第５の発明に係るダイバーシティ受信装置では、第３の発明に加えて、制御部は、停止ブランチが記憶する記憶値の初期化を行ってから、停止ブランチのクロック信号の低減を行う。【００１８】
この構成により、初期化の後で、クロック信号の低減が行われるので、初期化において、不適切な値で初期化される問題は生じにくい。【００１９】
第６の発明に係るダイバーシティ受信装置では、第３の発明に加えて、第１ブランチと第２ブランチのそれぞれは、周波数多重信号に対する周波数オフセット量を補正する補正部を備え、制御部は、停止ブランチが記憶する周波数オフセット量を保持したまま、初期化を行ってから、停止ブランチのクロック信号の低減を行う。【００２０】
この構成により、停止ブランチの記憶値が初期化される場合でも、周波数オフセット量はそのまま維持されるので、停止ブランチの動作の再開後に、周波数オフセット量の算出が不要となる。このため、停止ブランチの再開が指示された場合に、短時間で動作を再開できる。【００２１】
第７の発明に係るダイバーシティ受信装置では、第４から第６のいずれかの発明に加えて、クロック信号の低減は、クロック信号の停止を含む。【００２２】
この構成により、停止ブランチの消費電力を大きく削減できる。【００２３】
第８の発明に係るダイバーシティ受信装置では、第３から第７のいずれかの発明に加えて、第１判定部は、第１パイロットキャリアの振幅値が所定の閾値よりも大きい場合には第１ブランチを動作ブランチとして判定し、閾値以下の場合には第１ブランチを停止ブランチとして判定し、第２判定部は、第２パイロットキャリアの振幅値が所定の閾値よりも大きい場合には第２ブランチを動作ブランチとして判定し、閾値以下の場合には第２ブランチを停止ブランチとして判定する。【００２４】
この構成により、簡単にブランチの受信状態が判定できる。【００２５】
第９の発明に係るダイバーシティ受信装置では、第３から第７のいずれかの発明に加えて、第１判定部は、第１タイミングと、第１タイミングより時間的に後の第２タイミングのそれぞれにおいて第１パイロットキャリアの振幅値を算出し、第２タイミングにおける振幅値が、第１タイミングにおける振幅値に対して所定の閾値より大きい場合には、第１ブランチを動作ブランチとして判定し、閾値以下の場合には、第１ブランチを停止ブランチとして判定し、第２判定部は、第１タイミングと、第１タイミングより時間的に後の第２タイミングのそれぞれにおいて第２パイロットキャリアの振幅値を算出し、第２タイミングにおける振幅値が、第１タイミングにおける振幅値に対して所定の閾値より大きい場合には、第２ブランチを動作ブランチとして判定し、閾値以下の場合には、第２ブランチを停止ブランチとして判定する。【００２６】
この構成により、あるタイミングでの受信状態だけでなく、一定期間における受信状態の変化を考慮して、ブランチの受信状態を判定できる。すなわち、フェージングなどによる、急激な受信状態の変化も考慮して、ブランチの受信状態を判定できる。【００２７】
第１０の発明に係るダイバーシティ受信装置では、第３から第７のいずれかの発明に加えて、第１判定部は、第１タイミングと、第１タイミングより時間的に後の第２タイミングのそれぞれにおいて、第１パイロットキャリアの振幅値を算出し、第２タイミングにおける振幅値が、第１タイミングにおける振幅値よりも大きい場合には、第１ブランチを動作ブランチとして判定し、第２タイミングにおける振幅値が、第１タイミングにおける振幅値以下の場合には、第１ブランチを停止ブランチとして判定し、第２判定部は、第１タイミングと、第１タイミングより時間的に後の第２タイミングのそれぞれにおいて、第２パイロットキャリアの振幅値を算出し、第２タイミングにおける振幅値が、第１タイミングにおける振幅値より大きい場合には、第２ブランチを動作ブランチとして判定し、第２タイミングにおける振幅値が、第１タイミングにおける振幅値以下の場合には、第２ブランチを停止ブランチとして判定する。【００２８】
この構成により、あるタイミングでの受信状態だけでなく、一定期間における受信状態の変化を考慮して、ブランチの受信状態を判定できる。すなわち、フェージングなどによる、急激な受信状態の変化も考慮して、ブランチの受信状態を判定できる。【００２９】
第１１の発明に係るダイバーシティ受信装置では、第３から第７のいずれかの発明に加えて、第１判定部と第２判定部のそれぞれは、第１パイロットキャリアと第２パイロットキャリアのそれぞれの振幅値の差分が所定の閾値より大きい場合には、振幅値の低いブランチを停止ブランチとして判定する。【００３０】
この構成により、個々の受信状態に加えて、複数のブランチの受信状態のバランスに基づいて、あるブランチの受信状態を判定できる。すなわち、複数のブランチの受信状態のバランスに基づいて、ダイバーシティ受信に使用するブランチと不使用とするブランチを決めることができ、ダイバーシティ受信の受信精度を向上させることができる。【００３１】
第１２の発明に係るダイバーシティ受信装置では、第３から第７のいずれかの発明に加えて、第１判定部は、所定のキャリア数の第１パイロットキャリアの振幅値を積算すると共に、所定のキャリア数の第１データキャリアの振幅値を所定積算し、第１パイロットキャリアの積算値が、第１データキャリアの積算値よりも大きい場合には、第１ブランチを動作ブランチとして判定し、第１パイロットキャリアの積算値が、第１データキャリアの積算値以下の場合には、第１ブランチを停止ブランチとして判定し、第２判定部は、所定のキャリア数の第２パイロットキャリアの振幅値を積算すると共に、所定のキャリア数の第２データキャリアの振幅値を所定積算し、第２パイロットキャリアの積算値が、第２データキャリアの積算値よりも大きい場合には、第２ブランチを動作ブランチとして判定し、第２パイロットキャリアの積算値が、第２データキャリアの積算値以下の場合には、第２ブランチを停止ブランチとして判定する。【００３２】
この構成により、より正確に受信状態を判定できる。【００３３】
第１３の発明に係るダイバーシティ受信装置では、第１から第１２のいずれかの発明に加えて、制御部は、停止ブランチを起動する指示信号を受けた場合には、指示信号に基づいて停止ブランチに対して、クロック信号の動作を再開してから初期化を解除する。【００３４】
この構成により、動作の再開後の誤動作が防止できる。
【発明の効果】
【００３５】
本発明によれば、複数のブランチを備えるダイバーシティ受信装置における、ブランチ毎の受信状態の判定に基づいて、受信状態の悪いブランチの動作を停止できる。この結果、消費電力が削減できると共に受信状態の悪いブランチの復調結果をダイバーシティ受信に使用しないですむので、ダイバーシティ受信での受信精度の劣化が防止できる。すなわち、ダイバーシティ受信装置の消費電力の削減と、受信精度の向上との適切なバランスが図られる。
【図面の簡単な説明】
【００３６】
【図１】本発明の実施の形態１におけるダイバーシティ受信装置のブロック図である。
【図２】本発明の実施の形態１におけるＯＦＤＭ信号を説明する説明図である。
【図３】本発明の実施の形態１におけるタイミング調整部とその周辺のブロック図である。
【図４】本発明の実施の形態１におけるタイミング調整を説明するタイミングチャートである。
【図５】本発明の実施の形態１における最大比合成を示す説明図である。
【図６】本発明の実施の形態１における停止処理を説明するタイミングチャートである。
【図７】本発明の実施の形態２におけるダイバーシティ受信装置のブロック図である。
【図８】本発明の実施の形態３における第１判定部の内部ブロック図である。
【図９】本発明の実施の形態３における第１判定部の内部ブロック図である。
【図１０】本発明の実施の形態３における判定部の判定処理を説明する説明図である。
【図１１】本発明の実施の形態３における判定部の判定処理を説明する説明図である。
【図１２】本発明の実施の形態３における第１判定部と第２判定部のブロック図である。
【図１３】本発明の実施の形態３における第１判定部のブロック図である。
【図１４】本発明の実施の形態４におけるダイバーシティ受信装置のブロック図である。
【符号の説明】
【００３７】
１  ダイバーシティ受信装置
２、３  アンテナ
５  第１ブランチ
６  第２ブランチ
７  タイミング調整部
８  合成・選択部
９  誤り訂正部
１０  制御部
２０、３０  アナログデジタル変換部
２１、３１  検波部
２２、３２  ＦＦＴ
２３  第１波形等化部
３３  第２波形等化部
４０  画像音声復号部
【発明を実施するための最良の形態】
【００３８】
以下、図面を参照しながら、本発明の実施の形態を説明する。【００３９】
（実施の形態１）
図１〜図５を用いて、実施の形態１について説明する。【００４０】
図１は、本発明の実施の形態１におけるダイバーシティ受信装置のブロック図であり、図２は、本発明の実施の形態１におけるＯＦＤＭ信号を説明する説明図である。【００４１】
なお、本明細書において、周波数多重信号について、地上デジタル放送の規格であるＩＳＤＢ−Ｔ規格により規定されているＯＦＤＭ信号を例として説明する。また、ＯＦＤＭ信号においては、複数のキャリアが周波数軸上において直交されて多重化されているが、ＯＦＤＭ信号は、画像や音声データが変調されたデータキャリアと、受信特性を判定するためのパイロットキャリアと、変調方式などの情報を含む伝送制御キャリアとを含む。なお、ＯＦＤＭ信号は、本発明における周波数多重信号の一例に過ぎず、本発明における周波数多重信号は、ＦＤＭ信号やＳＳ−ＯＦＤＭ信号などの通信信号を幅広く含むものである。【００４２】
（全体概要）
ダイバーシティ受信装置１は、ＯＦＤＭ信号を受信して復調し、第１データキャリアと第１パイロットキャリアを出力する第１ブランチ５と、ＯＦＤＭ信号を受信して復調し、第２データキャリアと第２パイロットキャリアを出力する第２ブランチ６と、第１データキャリアと第２データキャリアを合成もしくは選択する合成・選択部８を備えている。更に、第１ブランチ５と第２ブランチ６で復調されるキャリア群の処理タイミングを同期させるタイミング調整部７と、第１ブランチ５の受信状態および第２ブランチ６の受信状態の少なくとも一方に基づいて、第１ブランチ５と第２ブランチ６の少なくとも一方の動作の停止と起動を制御する制御部１０を備えている。【００４３】
合成・選択部８は、誤り訂正部９に演算結果を出力し、誤り訂正部９は、ビタビ復号やリードソロモン復号を用いて、誤り訂正を行う。【００４４】
また、第１ブランチ５と第２ブランチ６のそれぞれは、アンテナ２、３に到達したＯＦＤＭ信号から、所望の帯域の信号を受信して受信信号を出力するチューナ１１、１２と、受信信号をアナログ信号からデジタル信号に変換するアナログデジタル変換部２０、３０（図中においては「ＡＤ変換部」と表記）と、アナログデジタル変換部２０、３０の出力を検波する検波部２１、３１と、検波部２１、３１の出力を時間軸の信号から周波数軸の信号に変換する高速フーリエ変換部（以下、「ＦＦＴ」という）２２、３２とを備えている。【００４５】
なお、ここでＦＦＴは、時間周波数変換を行う要素の一例である。他にも、フラクタルを応用して時間周波数変換を行う要素が用いられてもよい。【００４６】
更に、第１ブランチ５は、第１ブランチ５の受信状態を判定して判定結果を制御部１０に出力する第１判定部２５を備え、第２ブランチ６は、第２ブランチ６の受信状態を判定して判定結果を制御部１０に出力する第２判定部３５を備える。【００４７】
次に、各要素の詳細について説明する。【００４８】
（アンテナ）
アンテナ２、３は、ＯＦＤＭ信号を受信する。アンテナ２、３は、ブランチの個数に対応した個数だけ設けられ、図１においては、第１ブランチ５と第２ブランチ６の２つのブランチが設けられているので、アンテナ２とアンテナ３の２つのアンテナが設けられている。アンテナは、いかなる形態のアンテナでもよく、アンテナ２とアンテナ３との距離は、受信するＯＦＤＭ信号の半波長程度を有していることが好ましい。【００４９】
（チューナ）
アンテナ２にはチューナ１１が、アンテナ３にはチューナ１２が接続されている。いずれも、放送帯域に応じた中心周波数に基づき、アンテナ２、３で受信されたＯＦＤＭ信号の特定帯域を選択して受信する。【００５０】
チューナ１１、１２は、受信したＯＦＤＭ信号を受信信号としてアナログデジタル変換部２０、３０に出力する。【００５１】
なお、チューナ１１、１２が使用する周波数と、検波部２１、３１が使用する周波数にずれがある場合には、後述の周波数オフセット量の補正が行われることが好適である。【００５２】
（アナログデジタル変換部）
アナログデジタル変換部２０は、チューナ１１からの受信信号を、アナログ信号からデジタル信号に変換する。同様に、アナログデジタル変換部３０は、チューナ１２からの受信信号を、アナログ信号からデジタル信号に変換する。アナログデジタル変換部２０、３０は、ダイバーシティ受信装置１の仕様に応じた分解能を有する。【００５３】
アナログデジタル変換部２０、３０は、変換したデジタル信号を、検波部２１、３１に出力する。【００５４】
（検波部）
第１ブランチ５と第２ブランチ６のそれぞれは、検波部２１、３１を備えている。【００５５】
検波部２１、３１は、デジタル信号に変換された受信信号を直交検波する。検波部２１、３１は、検波した信号をＦＦＴ２２、３２に出力する。【００５６】
検波部２１、３１は、同期検波や準同期検波により、受信信号を検波する。【００５７】
（ＦＦＴ）
第１ブランチ５と第２ブランチ６のそれぞれは、ＦＦＴ２２、ＦＦＴ３２を備えている。ＦＦＴ２２、３２のそれぞれは、検波部２１、３１の出力を、時間軸の信号から周波数軸の信号に変換する時間周波数変換部の一例である。時間軸の信号から周波数軸の信号に変換できる機能を有したものであれば、フラクタルを利用した時間周波数変換部でもよく、他のアルゴリズムを利用した時間周波数変換部でよい。【００５８】
ＦＦＴ２２は、第１ブランチ５における受信信号を、時間軸から周波数軸の信号に変換することで、周波数軸に多重化されているキャリア群を復調する。ここで、ＦＦＴ２２が復調するキャリア群を第１キャリア群という。第１キャリア群は複数のキャリアを含み、複数のキャリアのそれぞれは、相互に直交して多重化されている。【００５９】
第１キャリア群は、ＩＳＤＢ−Ｔ規格におけるＯＦＤＭ信号に対応して、データキャリアとパイロットキャリアと伝送制御キャリアを含む。【００６０】
ＦＦＴ２２は、復調した第１キャリア群を、第１波形等化部２３と第１判定部２５に出力する。ここで、ＦＦＴ２２が復調したデータキャリアを第１データキャリアと呼び、ＦＦＴ２２が復調したパイロットキャリアを第１パイロットキャリアと呼ぶ。【００６１】
ＦＦＴ３２は、第２ブランチ６における受信信号を、時間軸から周波数軸の信号に変換することで、周波数軸に多重化されているキャリア群を復調する。ここで、ＦＦＴ３２が復調するキャリア群を第２キャリア群といい、第２キャリア群は、複数のキャリアを含んでおり、複数のキャリアのそれぞれは、相互に直交して多重化されている。【００６２】
第１キャリア群と同じく、第２キャリア群は、ＩＳＤＢ−Ｔ規格におけるＯＦＤＭ信号に対応して、データキャリア、パイロットキャリア、伝送制御キャリアを含む。ここで、ＦＦＴ３２が復調したデータキャリアを第２データキャリアと呼び、ＦＦＴ３２が復調したパイロットキャリアを第２パイロットキャリアと呼ぶ。【００６３】
ＦＦＴ３２は、復調した第２キャリア群を、第２波形等化部３３と第２判定部３５に出力する。【００６４】
なお、ＦＦＴ２２、３２は、検波部２１、３１の出力を受けて時間周波数変換を行うので、その切り出し範囲（窓位置）を調整する機能も有していることが好ましい。【００６５】
このＦＦＴ２２、３２により復調されたＯＦＤＭ信号は、図２により模式的に示される。【００６６】
図２の横軸は周波数軸であり、縦軸は時間軸である。図２に記載の○印のそれぞれは、キャリア群に含まれる個々のキャリアを示している。キャリアのそれぞれは、周波数軸上に多重化されており、時間軸においては、これら多重化された複数のキャリアを１シンボルとして、このシンボルが時間軸において多重化されている。伝送制御キャリアは、復号部（図示せず）で復号されて、制御部１０において放送方式や変調方式が判断される。同様に、検出部（図示せず）は、伝送制御キャリアを用いて、フレーム同期を検出する。ここで、フレームとは、所定の数のシンボルに基づいた単位である。【００６７】
図２から明らかな通り、キャリア群は、画像や音声データが変調されたデータキャリアと、パイロットキャリアと、伝送制御キャリアとを含んでいる。データキャリアとパイロットキャリアと伝送制御キャリアのそれぞれは、第１波形等化部２３、第２波形等化部３３、第１判定部２５、第２判定部３５に出力される。【００６８】
（波形等化部）
第１ブランチ５と第２ブランチ６のそれぞれは、第１波形等化部２３、第２波形等化部３３を備えている。【００６９】
第１波形等化部２３は、第１パイロットキャリアを基に、第１データキャリアの振幅位相制御を行うと共に、第１データキャリアの信頼性を示す第１信頼性値を算出する。【００７０】
第１パイロットキャリアは、振幅と位相が既知のキャリアであり、第１波形等化部２３は、受信した第１パイロットキャリアを既知のパイロットキャリアで複素除算する。この複素除算により、受信した第１パイロットキャリアの振幅と位相の変動量が算出される。この変動量から伝送路応答が推定される。【００７１】
第１波形等化部２３は、この推定された伝送路応答に基づいて、ＦＦＴ２２で復調された第１データキャリアの振幅と位相を補正して、復調精度を向上させる。【００７２】
第１波形等化部２３は、振幅や位相を補正した第１データキャリアと、算出した第１信頼性値を合成・選択部８に出力する。【００７３】
第２ブランチ６に含まれる第２波形等化部３３も、第１波形等化部２３と同じ機能を有し、同じ処理を行う。第２波形等化部３３は、第２パイロットキャリアを基に、第２データキャリアの振幅と位相を補正すると共に、第２データキャリアの信頼性を示す第２信頼性値を算出する。【００７４】
（タイミング調整部）
タイミング調整部７は、ＦＦＴ２２での復調とＦＦＴ３２での復調の処理タイミングを同期させる。すなわち、ＦＦＴ２２とＦＦＴ３２とで復調される開始キャリアを揃える。【００７５】
図２より明らかな通り、ＯＦＤＭ信号はシンボルに基づく単位を有しているので、タイミング調整部７は、第１ブランチ５に含まれるＦＦＴ２２と、第２ブランチ６に含まれるＦＦＴ３２に入力するシンボルの処理タイミングを同期させる。【００７６】
このタイミング調整により、後述する合成・選択部８に入力する第１データキャリア群と第２データキャリア群の処理タイミングが同期する。【００７７】
図３と図４を用いてタイミング調整部７について説明する。【００７８】
図３は、本発明の実施の形態１におけるタイミング調整部とその周辺のブロック図である。図４は、本発明の実施の形態１におけるタイミング調整を説明するタイミングチャートである。【００７９】
第１ブランチ５は、検波部２１の出力を記憶する記憶部２４を備え、第２ブランチ６は、検波部３１の出力を記憶する記憶部３４を備えている。記憶部２４と記憶部３４は、それぞれ、１シンボル分の受信信号を記憶する。タイミング調整部７は、所定の同一タイミングで記憶部２４と記憶部３４の両方から、記憶されている受信信号をシンボル単位で読み出して、ＦＦＴ２２とＦＦＴ３２に出力する。この結果、ＦＦＴ２２とＦＦＴ３２で復調を開始する場合には、同一シンボルの先頭位置から復調を行えることになり、復調における開始キャリアの処理タイミングが同期する。【００８０】
図４に、記憶部２４と３４を用いたタイミング調整のタイミングチャートが示されている。図４を用いて、タイミング調整を説明する。【００８１】
図４では、上半分のチャートが、第１ブランチ５での処理を示し、下半分のチャートが、第２ブランチ６での処理を示している。第１ブランチ５と第２ブランチ６には、それぞれ独立してＯＦＤＭ信号を受信するので、記憶部２４と記憶部３４に入力するＯＦＤＭシンボルは、時間的なずれを持っている。記憶部２４と、記憶部３４は、それぞれ個別にあるＮ番目のＯＦＤＭシンボルを記憶する。すなわち、ある時点で、記憶部２４と記憶部３４のそれぞれは、Ｎ番目のＯＦＤＭシンボルを記憶していることになる。【００８２】
次いで、タイミング調整部７は、記憶部２４と記憶部３４の両方に、同一の出力タイミングパルスを送る。記憶部２４と記憶部３４は、この同一の時刻における出力タイミングパルスに基づいて、記憶しているＮ番目のＯＦＤＭシンボルを、それぞれＦＦＴ２２とＦＦＴ３２に出力する。この結果、ＦＦＴ２２とＦＦＴ３２においては、同一シンボルの先頭位置から同時に復調を開始できる。すなわち、復調における開始キャリアが、ＦＦＴ２２とＦＦＴ３２とで同一に揃えられることができる。言い換えると、第１ブランチ５と第２ブランチ６での、キャリア復調での処理タイミングが同期する。【００８３】
結果として、合成・選択部８においては、第１ブランチ５と第２ブランチ６とのデータキャリアの処理タイミングが同期した上で、キャリア毎の合成もしくは選択が行われる。【００８４】
なお、図３、図４において説明したタイミング調整は一例であり、他の方法が用いられてもよい。【００８５】
（合成・選択部）
合成・選択部８は、第１波形等化部２３から出力される第１信頼性値と、第２波形等化部３３から出力される第２信頼性値を用いて、第１データキャリア群と第２データキャリア群を選択もしくは合成する。このとき、合成・選択部８は、設定された指示に従い、選択をするか合成をするか決定する。【００８６】
まず、選択を行う場合について説明する。【００８７】
第１ブランチ５から第１データキャリア群が、合成・選択部８に入力し、第２ブランチ６から第２データキャリア群が、合成・選択部８に入力する。同様に、第１データキャリア群に含まれる各データキャリアに対する第１信頼性値と、第２データキャリア群に含まれる各データキャリアに対する第２信頼性値も、合成・選択部８に入力する。合成・選択部８は、第１データキャリア群に含まれる任意のデータキャリアに対する第１信頼性値と、これに対応する（周波数軸におけるキャリア位置が同じである）第２データキャリア群に含まれるデータキャリアに対する第２信頼性値を比較して、値の大きい（値の大きい方が信頼性が高いとする場合に）データキャリアを選択して出力する。【００８８】
この選択により、より受信状態のよいブランチのデータキャリアが、最終的な画像音声復号部４０での復号に用いられ、受信精度が向上する。【００８９】
次に、合成を行う場合について説明する。【００９０】
合成・選択部８は、第１データキャリア群に含まれるあるデータキャリアと、これに対応する第２データキャリア群に含まれるデータキャリアを、信頼性値に基づいて最大比合成する。最大比合成とは、信頼性値に従った重量平均を算出することで、第１データキャリア群と第２データキャリア群のデータキャリアを合成することである。【００９１】
図５を用いて説明する。図５は、本発明の実施の形態１における最大比合成を示す説明図である。【００９２】
図５では、信頼性値が値「１」〜値「３」までの３段階の値を持っている。信頼性値の値の大きい方が、信頼性が高いものとする。すなわち、信頼性値「３」は信頼性値「１」よりも信頼性が高いことを示す。また第１データキャリア群に含まれるデータキャリアを「Ｃ１」とし、第２データキャリア群に含まれると共に「Ｃ１」に対応するデータキャリアを「Ｃ２」としている。【００９３】
横列の最上位列は、データキャリア「Ｃ１」の信頼性値である第１信頼性値を示し、縦列の左列は、キャリア「Ｃ２」の信頼性値である第２信頼性値を示している。【００９４】
合成・選択部８は、図５に示されるように、信頼性値に基づいて最大比合成の計算を行い、その結果を出力する。例えば、データキャリア「Ｃ１」の第１信頼性値が値「２」であり、データキャリア「Ｃ２」の第２信頼性値が値「１」の場合には、合成・選択部８は、（２ｘＣ１＋Ｃ２）／３との計算を行って、出力する。他の場合には、図５に示されるとおりである。【００９５】
また、合成・選択部８は、最大比合成以外にも、第１データキャリア群に含まれるデータキャリアと第２データキャリア群に含まれるデータキャリアを、一定の比率で合成する等比合成を行っても良い。【００９６】
なお、合成・選択部８は、キャリア毎に、選択や合成を行う。【００９７】
このような合成・選択部８でのキャリア毎の選択や合成により、復調精度が向上し、ビットエラーレートなどが減少して、受信性能が向上する。【００９８】
合成・選択部８は、合成もしくは選択した結果を誤り訂正部９に出力する。【００９９】
（誤り訂正部）
誤り訂正部９は、復調されたキャリアやキャリアに含まれるデジタルデータの誤りを訂正する。【０１００】
誤り訂正部９は、ビタビ復号やリードソロモン復号などを行い、キャリアやデータの誤りを検出し訂正する。誤り訂正されたデジタルデータは、画像や音声に関するパケットデータとして、出力される。【０１０１】
（判定部）
第１ブランチ５は、第１判定部２５を備え、第２ブランチ６は、第２判定部３５を備える。第１判定部２５と第２判定部３５の詳細については、実施の形態２以降で説明する。【０１０２】
第１判定部２５は、第１ブランチ５の受信状態を判定し、判定結果を制御部１０に出力する。同様に、第２判定部３５は、第２ブランチ６の受信状態を判定し、判定結果を制御部１０に出力する。【０１０３】
ここで、第１判定部２５は、第１ブランチ５の受信状態に基づいて、第１ブランチ５を「停止ブランチ」もしくは「動作ブランチ」のいずれかとして判定し、この判定結果を制御部１０に出力する。【０１０４】
同様に、第２判定部３５は、第２ブランチ６の受信状態に基づいて、第２ブランチ６を「停止ブランチ」もしくは「動作ブランチ」のいずれかとして判定し、この判定結果を制御部１０に出力する。【０１０５】
なお、第１判定部２５は、ＦＦＴ２２の出力を用いて、第１ブランチ５の受信状態を判定する。第２判定部３５は、ＦＦＴ３２の出力を用いて、第２ブランチ６の受信状態を判定する。【０１０６】
（制御部）
制御部１０は、ダイバーシティ受信装置１全体で必要となる制御を行う。例えば、受信したＯＦＤＭ信号の放送方式や変調方式を判断し、判断した結果に合わせて、第１ブランチ５、第２ブランチ６での受信や復調の方式を制御する。【０１０７】
加えて、制御部１０は、第１ブランチ５の受信状態および第２ブランチ６の受信状態の少なくとも一方に基づいて、第１ブランチ５および第２ブランチ６の少なくとも一方の動作の停止と起動を制御する。【０１０８】
このとき制御部１０は、第１判定部２５から出力される判定結果と第２判定部３５から出力される判定結果に基づいて、第１ブランチ５と第２ブランチ６の停止の制御を行う。「停止ブランチ」との判定結果を受けた場合には、対応するブランチが記憶する記憶値の初期化および対応するブランチで使用されているクロック信号の低減（クロック信号の停止を含む）の少なくとも一つを行う。【０１０９】
（画像音声復号部）
画像音声復号部４０は、誤り訂正部９から出力されたパケットデータを、所定の方式により復号する。復号されたパケットデータは、画像、音声として再生され、ダイバーシティ受信装置１を備える携帯端末や移動端末において、ユーザが視聴できるようになる。【０１１０】
（ダイバーシティ受信装置の動作）
次に、実施の形態１におけるダイバーシティ受信装置１の動作について説明する。【０１１１】
第１ブランチ５は、アンテナ２およびチューナ１１で受信されたＯＦＤＭ信号を復調し（各部の詳細で説明した、各要素の動作により復調処理を行う）、第１キャリア群を出力する。【０１１２】
第１キャリア群は、第１データキャリア、第１パイロットキャリアを含む。同様に、第２ブランチ６は、アンテナ３およびチューナ１２で受信されたＯＦＤＭ信号を復調し、第２キャリア群を出力する。第２キャリア群は、第２データキャリアと第２パイロットキャリアを含む。【０１１３】
第１判定部２５は、第１ブランチ５の受信状態を判定し、「停止ブランチ」もしくは「動作ブランチ」のいずれかの判定結果を制御部１０に出力する。同様に、第２判定部３５は、第２ブランチ６の受信状態を判定し、「停止ブランチ」もしくは「動作ブランチ」のいずれかの判定結果を制御部１０に出力する。【０１１４】
制御部１０は、第１判定部２５と第２判定部３５の判定結果を受けて、第１ブランチ５と第２ブランチ６の動作の停止と起動を制御する。以下、場合分けして説明する。【０１１５】
（いずれのブランチも動作ブランチの場合）
第１判定部２５と第２判定部３５のそれぞれが、第１ブランチ５と第２ブランチ６を「動作ブランチ」として判定した場合には、第１ブランチ５と第２ブランチ６のそれぞれは、受信および復調動作を行う。【０１１６】
アンテナ２は、ＯＦＤＭ信号を受信する。チューナ１１は、アンテナ２が受信したＯＦＤＭ信号から設定された所望の帯域のＯＦＤＭ信号を受信して、受信信号をアナログデジタル変換部２０に出力する。アナログデジタル変換部２０は、アナログ信号である受信信号を、所定の分解能に従ってデジタル信号に変換する。【０１１７】
検波部２１は、直交検波などにより、アナログデジタル変換部２０の出力を検波して、ＦＦＴ２２に出力する。ＦＦＴ２２は、検波後の受信信号を、時間軸の信号から周波数軸の信号に変換して、第１判定部２５と第１波形等化部２３に出力する。【０１１８】
第１判定部２５は、ＦＦＴ２２の出力に含まれる第１パイロットキャリアや第１データキャリアの振幅や振幅の変化により、第１ブランチ５を「動作ブランチ」もしくは「停止ブランチ」として判定し、判定結果を制御部１０に出力する。ここでは、第１判定部２５は、第１ブランチ５を「動作ブランチ」として判定している。【０１１９】
第１波形等化部２３は、ＦＦＴ２２が出力した第１データキャリアの振幅と位相を補正すると共に、第１データキャリアの信頼性を示す第１信頼性値を算出して出力する。信頼性とは、第１データキャリア群のデータキャリアのそれぞれの受信状態の良し悪しを示す指標である。第１波形等化部２３は、振幅と位相が既知であるパイロットキャリアの理想の振幅と位相と、実際に受信して復調した第１パイロットキャリアの振幅と位相との複素除算により求まる伝送路応答をパラメータにして、第１データキャリアの振幅と位相を補正する。【０１２０】
第２ブランチ６においても、第１ブランチ５と同様の復調処理がなされる。また、ここでは、第２ブランチ６も「動作ブランチ」として判定される。【０１２１】
なお、タイミング調整部７は、図３、図４を用いて説明したように、ＦＦＴ２２とＦＦＴ３２における復調の処理タイミングを同期させる。【０１２２】
ここでは、第１ブランチ５と第２ブランチ６のいずれも「動作ブランチ」であるので、第１ブランチ５は、第１信頼性値と第１データキャリアを合成・選択部８に出力し、第２ブランチ６は、第２信頼性値と第２データキャリアを合成・選択部８に出力する。【０１２３】
合成・選択部８は、第１ブランチ５と第２ブランチ６のそれぞれが「動作ブランチ」であるので、それぞれから出力される第１信頼性値と第２信頼性値に従って、第１データキャリアと第２データキャリアの合成もしくは選択を行う。【０１２４】
例えば、図５に示されるように、第１信頼性値と第２信頼性値に従って、第１データキャリアと第２データキャリアを最大比合成する。【０１２５】
あるいは、第１信頼性値と第２信頼性値のうち、値の大きいデータキャリアが選択される。【０１２６】
このように、キャリア毎に合成もしくは選択が行われることで、受信精度が向上する。【０１２７】
（第１ブランチ５が停止ブランチで第２ブランチ６が動作ブランチの場合）
ここでは、第１ブランチ５が「停止ブランチ」として判定された場合について説明する。【０１２８】
第１判定部２５は、ＦＦＴ２２から出力された第１パイロットキャリアの振幅や振幅の変化に基づいて、所定の状態においては、第１ブランチ５を「停止ブランチ」と判定する。【０１２９】
この判定結果は、制御部１０に出力される。【０１３０】
制御部１０は、第１ブランチ５が「停止ブランチ」としての判定結果を受けて、第１ブランチ５の停止処理を行う。停止処理は、第１ブランチ５が記憶する記憶値の初期化および第１ブランチ５で使用されるクロック信号の低減（停止を含む）の少なくとも一つの処理を含む。【０１３１】
より具体的には、制御部１０は、第１ブランチ５に対して、図６に示される処理を行う。【０１３２】
図６は、本発明の実施の形態１における停止処理を説明するタイミングチャートである。【０１３３】
図６には、上から停止制御信号１００、ブランチリセット信号１０１、クロック制御信号１０２、クロック信号１０３が示されている。【０１３４】
制御部１０は、この停止制御信号１００を、第１ブランチ５から受ける。この停止制御信号を受けて、制御部１０は、ブランチリセット信号１０１、クロック制御信号１０２を生成して出力する。ここで、制御部１０は、停止制御信号１００に基づいて、まず第１ブランチ５の記憶する記憶値を初期化するブランチリセット信号１０１を生成する。第１ブランチ５が記憶する記憶値は、このブランチリセット信号１０１により、初期化される。例えば、第１ブランチ５に含まれるメモリやフリップフロップなどの記憶素子が記憶する記憶値が、値「０」や値「１」などに初期化される（どのような値に初期化されるのかは、ダイバーシティ受信装置１の設計仕様に応じる）。【０１３５】
記憶値の初期化に用いられるブランチリセット信号１０１に続いて、クロック制御信号１０２が生成される。クロック制御信号１０２は、第１ブランチ５で使用されるクロック信号の停止を含む低減を制御する。なお、第１ブランチ５で使用されるクロック信号は、第１ブランチ５内部のクロック信号を必要とする順序回路素子に入力するクロック信号であり、このクロック信号は、第１ブランチ５の外部から第１ブランチ５に供給されても良く、第１ブランチ５内部で生成されてもよい。【０１３６】
第１ブランチ５で使用されるクロック信号は、必要に応じて分周されたり逓倍されたりしたクロック信号を広く含む。【０１３７】
クロック制御信号１０２がアクティブになることにより、第１ブランチ５のクロック信号は、低減もしくは停止される。図６では、クロック制御信号１０２がアクティブ期間において（図６では、Ｈｉｇｈレベルの状態）クロック信号１０３が、停止する。【０１３８】
このとき、クロック信号の停止のタイミングより前に、第１ブランチ５が記憶する記憶値が初期化されているので、クロック信号の停止により、記憶素子の記憶する値が不適切に上書きされることはない。このため、停止ブランチとなった第１ブランチ５から、不適切な値の信号が出力されることが無いため、合成・選択部８が誤動作を起こすことがない。特に、第１ブランチ５が、停止ブランチから動作ブランチに変化する場合においても、不適切な値の信号が出力されることが無いので、合成・選択部８が誤動作を起こすことがない。【０１３９】
また、停止ブランチとなった第１ブランチ５のクロック信号が低減もしくは停止されることで、ダイバーシティ受信装置１の消費電力が削減できる。ここで、「停止ブランチ」として判定された第１ブランチ５で復調された第１データキャリアは、その受信精度や信頼性が低く、合成・選択部８においてキャリア毎の合成に用いられると、却って受信精度が劣化する可能性がある。このような状態にある第１ブランチ５の動作を継続するよりは、クロック信号を停止させて動作を停止させることで消費電力が削減できることのほうが、ユーザビリティが高まる。【０１４０】
なお、制御部１０は、合成・選択部８に対して、第１データキャリアと第２データキャリアのキャリア毎の合成を行わないように指示を出すことで、第１データキャリアを合成の対象外としてよい。あるいは、制御部１０は、第１ブランチ５の初期化において、第１ブランチ５から出力される第１信頼性値を全て値「０」に固定することで、合成・選択部８での合成における第１データキャリアの寄与度を低下あるいは消滅させてもよい。あるいは、制御部１０が、合成・選択部８に対して、必ず第２データキャリアを選択するように指示することでも良い。【０１４１】
いずれにしても、第１ブランチ５は、ダイバーシティ受信において使用されないブランチとなり、実施の形態１においては、第２ブランチ６による通常の受信が行われる。【０１４２】
なお、ブランチが３以上である場合には、動作ブランチとして判定されたブランチによるキャリア毎のダイバーシティ受信が行われる。ダイバーシティ受信装置１が備えるブランチの数については、本明細書では特に限定しない。【０１４３】
制御部１０は、第１ブランチ５から出力される第１データキャリアのキャリア毎のダイバーシティにおける寄与度を低下もしくは消滅させつつ、消費電力を削減できるようにクロック信号の低減や停止を行う。同時に、制御部１０は、ダイバーシティ受信装置１の誤動作を防止するために、第１ブランチ５の記憶する記憶値を初期化する。【０１４４】
（第１ブランチ５が動作ブランチで第２ブランチ６が停止ブランチの場合）
また、第１ブランチ５が動作ブランチで、第２ブランチ６が停止ブランチとして判定された場合には、制御部１０は、第２ブランチ６の記憶する記憶値の初期化と、クロック信号の停止や低減を行う。【０１４５】
この場合には、合成・選択部８は、第２ブランチ６の復調した第２データキャリアの寄与度を低下あるいは消滅させて処理を行う。【０１４６】
なお、制御部１０は、第１ブランチ５と第２ブランチ６が、停止ブランチから動作ブランチに変更される場合には、まずクロック制御信号１０２を解除してクロック信号を元に戻し、その後にブランチリセット信号１０１を解除して、初期化状態を解除する。このような手順で処理が行われることで、誤動作が防止できる。【０１４７】
以上のように、実施の形態１におけるダイバーシティ受信装置１により、受信状態の劣化したブランチは、ダイバーシティ受信の対象外とされるので、受信精度の劣化が防止できる。また、停止ブランチとなるブランチの記憶値が初期化されることで、停止ブランチの発生による誤動作が防止できる。また、停止ブランチのクロック信号が停止もしくは低減されることで、不要な消費電力が削減できる。【０１４８】
（実施の形態２）
次に、図７を用いて実施の形態２について説明する。【０１４９】
図７は、本発明の実施の形態２におけるダイバーシティ受信装置のブロック図である。【０１５０】
図１と異なり、第１ブランチ５と第２ブランチ６のそれぞれは、周波数オフセット量を補正する補正部（図中においては「ＡＦＣ」と表記）を備えている。【０１５１】
周波数オフセット量は、チューナ１１、１２で使用される中心周波数と検波部２１、３１で検波に用いられる周波数との差により生じる検波精度の低下を防止するために用いられるオフセット量である。【０１５２】
補正部２６、３６は、この周波数オフセット量を算出する。更に、補正部２６、３６は、算出した周波数オフセット量を用いて検波部２１、３１での検波に用いる周波数を補正する。【０１５３】
ここで、周波数オフセット量は、同じ帯域のＯＦＤＭ信号を受信している限りでは、その値が変化することはほとんどない。これは、チューナ１１、１２に中心周波数を与えるローカル周波数発信器の設定周波数に依存するからで、受信帯域が変わらなければ、チューナ１１、１２での中心周波数と検波部２１、３１での検波に用いられる周波数との差分には変化がほとんど生じないからである。【０１５４】
このため、制御部１０は、停止ブランチとなった第１ブランチ５もしくは第２ブランチ６が記憶する記憶値の初期化において、補正部２６、３６が記憶している周波数オフセット量を、初期化せずにそのまま保持する。【０１５５】
このように、周波数オフセット量が初期化されずに保持されることで、停止ブランチから動作ブランチに変化した場合に、このブランチの復調が再開する際に周波数オフセット量を再度算出する必要が無くなる。結果として、再開後の検波部２１、３１の動作開始までの時間が短縮できる。【０１５６】
以上のように、実施の形態２におけるダイバーシティ受信装置１は、受信状態の劣化したブランチの再開後における復調動作の開始時間を短縮できる。【０１５７】
（実施の形態３）
次に実施の形態３について説明する。【０１５８】
実施の形態３では、第１判定部２５、第２判定部３５のそれぞれにおける判定処理について説明する。第１判定部２５は、第１ブランチ５の受信状態を判定して、第１ブランチ５を、「停止ブランチ」もしくは「動作ブランチ」のいずれかとして判定する。同様に、第２判定部３５は、第２ブランチ６の受信状態を判定して、第２ブランチ６を、「停止ブランチ」もしくは「動作ブランチ」のいずれかとして判定する。【０１５９】
（受信状態の判定の第１例）
第１判定部２５は、ＦＦＴ２２から出力される第１パイロットキャリアの振幅値および変化値の少なくとも一方に基づいて受信状態を判定する。同様に、第２判定部３５は、ＦＦＴ３２から出力される第２パイロットキャリアの振幅値および変化値の少なくとも一方に基づいて受信状態を判定する。【０１６０】
図８を用いて、第１判定部２５と第２判定部３５での受信状態の判定の一例を説明する。図８は、本発明の実施の形態３における第１判定部の内部ブロック図である。なお、第２判定部３５の内部ブロック図も同様であり、第２判定部３５の動作も同様である。【０１６１】
ＦＦＴ２２の出力信号は、遅延回路２５ａと、複素乗算回路２５ｃに入力する。遅延回路２５ａは、ＦＦＴ２２から出力された４シンボル分遅延された第１キャリア群を出力する。複素共役回路２５ｂは、遅延回路２５ａの出力する第１キャリア群の複素共役を算出する。複素乗算回路２５ｃは、ＦＦＴ２２の出力する４シンボル分の遅延のない第１キャリア群と、複素共役回路２５ｂの出力を複素乗算する。【０１６２】
ここで、パイロットキャリアは、一定位相、一定振幅を有する。このため、複素乗算回路２５ｃの出力ベクトルは、同一方向を有する。複素加算回路２５ｄは、複素乗算されたパイロットキャリアを抽出して、ＯＦＤＭ信号のシンボルの全体に渡ってアナログ的な加算演算を行う。【０１６３】
振幅算出回路２５ｅは、複素加算回路２５ｄの出力を用いて、パイロットキャリアのベクトルの大きさを算出する。このベクトルの大きさは、第１キャリア群に含まれる第１パイロットキャリアの振幅値を示す。【０１６４】
判定回路２５ｆは、所定の閾値とこの振幅値を比較する。判定回路２５ｆは、振幅値が、所定の閾値よりも大きい場合には、第１ブランチ５を「動作ブランチ」として判定し、振幅値が、所定の閾値以下の場合には、第１ブランチ５を「停止ブランチ」として判定する。第２判定部３５も同様の処理により、第２ブランチ６を「動作ブランチ」もしくは「停止ブランチ」のいずれかとして判定する。【０１６５】
（受信状態の判定の第２例）
次に、受信状態の判定の他の方式について、図９を用いて説明する。図９に示される判定部は、振幅値の変化状態である変化値を算出する。【０１６６】
図９は、本発明の実施の形態３における第１判定部の内部ブロック図である。なお、第２判定部３５の内部ブロック図も同様である。図８と同じ符号を付している要素は、図８を用いて説明した要素と同等の機能を有する。すなわち、ＦＦＴ２２の出力に対して、遅延回路２５ａから、振幅算出回路２５ｅまでの処理により、第１パイロットキャリアの振幅値が算出される。【０１６７】
遅延回路２５ｇは、振幅算出回路２５ｅの出力を、シンボル単位で遅延させる。減算回路２５ｈは、振幅算出回路２５ｅの出力と遅延回路２５ｇの出力との差分を算出する。すなわち、１シンボル前における第１パイロットキャリアの振幅値と現在の第１パイロットキャリアの振幅値との差分が得られる。【０１６８】
ここで、遅延回路２５ｇより出力される第１パイロットキャリアの振幅値は、ある時間的なタイミングを示す第１タイミングにおける、第１パイロットキャリアの振幅値であり、遅延回路２５ｇを経由せずに減算回路２５ｈと判定回路２５ｉに入力する第１パイロットキャリアの振幅値は、第１タイミングに対して時間的に後の第２タイミングにおける第１パイロットキャリアの振幅値である。すなわち、減算回路２５ｈには、第１タイミングにおける第１パイロットキャリアの振幅値と、これより時間的に遅い第２タイミングにおける第１パイロットキャリアの振幅値との両方が入力する。減算回路２５ｈは、この２つのタイミングにおける第１パイロットキャリアの振幅値の差分を算出できる。【０１６９】
判定回路２５ｉは、第２タイミングにおける第１パイロットキャリアの振幅値を第１閾値と比較して第２タイミングにおける受信状態を判定する。一方、判定回路２５ｊは、第１タイミングと第２タイミングとの振幅の差分値を第２閾値と比較して、受信状態の時間的な変化を判定する。すなわち、図９に示される判定部によれば、ある時点での受信状態のみならず、一定の時間の経過に対応する受信状態の変化も判定できる。【０１７０】
判定回路２５ｉは、現在のシンボルに含まれる第１パイロットキャリアの振幅値を、所定の第１閾値と比較する。すなわち、判定回路２５ｉは、現在のシンボルに含まれる第１パイロットキャリアの振幅値から、受信状態を判定する。【０１７１】
更に、判定回路２５ｊは、減算回路２５ｈの出力、すなわち現在のシンボルに含まれる第１パイロットキャリアの振幅値と１つ前のシンボルに含まれる第１パイロットキャリアの振幅値との差分値を、第２閾値と比較する。差分値を第２閾値と比較することで、受信状態の変化を判定することができる。【０１７２】
すなわち、判定回路２５ｉにおいて、現在の受信状態が把握され、判定回路２５ｊにおいて、受信状態の変化が把握される。【０１７３】
ＡＮＤ回路２５ｋは、判定回路２５ｉと判定回路２５ｊの両方の結果が適正である場合に、第１ブランチ５を「動作ブランチ」として判定する。【０１７４】
また、一定の時間変化における受信状態の変化に基づいた判定であると、図１０、図１１に示される判定方法を用いてもよい。【０１７５】
図１０、図１１を用いて、時間的な受信状態の変化を考慮した、「動作ブランチ」と「停止ブランチ」の判定について説明する。図１０、図１１は、本発明の実施の形態３における判定部の判定処理を説明する説明図である。【０１７６】
図１０は、第１タイミングにおける第１パイロットキャリアの振幅値と第２タイミングにおける第１パイロットキャリアの振幅値の差分を、所定の閾値と比較することで、動作ブランチと停止ブランチの判定を行う処理を示している。【０１７７】
図１０においては、第２タイミングにおける第１パイロットキャリアの振幅値が、第１タイミングにおける第１パイロットキャリアの振幅値に対して所定の閾値よりも大きい場合には、第１判定部２５は、第１ブランチ５を「動作ブランチ」として判定する。これに対して、第２タイミングにおける第１パイロットキャリアの振幅値が、第１タイミングにおける第１パイロットキャリアの振幅値に対して所定の閾値以下の場合には、第１判定部２５は、第１ブランチ５を「停止ブランチ」として判定する。【０１７８】
また図１１においては、第２タイミングにおける第１パイロットキャリアの振幅値が、第１タイミングにおける第１パイロットキャリアの振幅値よりも大きい場合には、第１判定部２５は、第１ブランチ５を「動作ブランチ」として判定する。これに対して、第２タイミングにおける第１パイロットキャリアの振幅値が、第１タイミングにおける第１パイロットキャリアの振幅値以下の場合には、第１判定部２５は、第１ブランチ５を「停止ブランチ」として判定する。【０１７９】
図９に示される判定部により、例えば、フェージングの発生などで急激に受信状態が変化する場合であっても、この変化を考慮した上でブランチの受信状態を判定できる。【０１８０】
例えば、現在の受信状態は良好であったにもかかわらず、フェージングの発生により急激に受信状態が劣化した場合に、受信状態を不適正と判定でき、より正確な受信状態の判定ができる。【０１８１】
（受信状態の判定の第３例）
次に、受信状態の判定の更なる他の方式について、図１２を用いて説明する。図１２に示される判定部は、ブランチ毎の受信状態の差分に基づいて、各ブランチの受信状態を判定する。【０１８２】
図１２は、本発明の実施の形態３における第１判定部と第２判定部のブロック図である。【０１８３】
図１２では、第１判定部２５と第２判定部３５に加えて、第１ブランチ５と第２ブランチ６との間の差分を把握する減算回路８０と、差分に基づいて判定する判定回路８１が設けられている。【０１８４】
減算回路８０は、振幅算出回路２５ｅの出力と振幅算出回路３５ｅの出力との差分を算出する。この差分は、第１ブランチ５と第２ブランチ６とでの、受信されたパイロットキャリアの受信レベルの差を表す。判定回路８１は、減算回路８０での減算結果を所定の第３閾値と比較し、判定結果を、ＡＮＤ回路２５ｍ、３５ｍに出力する。判定回路は、減算回路８０で算出された２つのブランチ間での受信レベルの差分を、所定の第３閾値と比較しているのであるから、２つのブランチ間での受信レベル差が大きいのか小さいのかが判定される。更に、いずれのブランチの受信状態が低いのかも判定される。【０１８５】
例えば、第１ブランチ５の受信レベルが、第２ブランチ６の受信レベルよりも大きく、更に、その差分が第３閾値以上の場合には、判定回路８１は、ＡＮＤ回路２５ｍには適正との判定結果を、ＡＮＤ回路３５ｍには、不適正との判定結果を出力する。この結果、第２ブランチ６におけるパイロットキャリアの振幅が一定以上ある場合でも、第１ブランチ５での受信レベルの差異が大きすぎる場合には、第２ブランチ６は、「停止ブランチ」として判定される。【０１８６】
（受信状態の判定の第４例）
次に、受信状態の判定の更なる他の方式について、図１３を用いて説明する。図１３に示される判定部は、復調されたキャリア群に含まれるデータキャリアの振幅とパイロットキャリアの振幅を比較することで、当該ブランチの受信状態を判定する。【０１８７】
図１３は、本発明の実施の形態３における第１判定部のブロック図である。なお、第２判定部３５についても同じ構成をとるものとする。図１２と同じ符号が付された要素は、図１２で説明したものと同等の機能を有する。【０１８８】
複素乗算回路２５ｃの出力は、複素加算回路２５ｄと、複素加算回路２５ｎとにそれぞれ入力する。複素加算回路２５ｄは、キャリア群の内パイロットキャリアを抽出して複素加算を行い、振幅算出回路２５ｅは、パイロットキャリアの振幅を算出する。【０１８９】
これに対して、複素加算回路２５ｎは、キャリア群の内データキャリアを抽出して複素加算を行い、振幅算出回路２５ｏは、データキャリアの振幅を算出する。比較回路２５ｐは、振幅算出回路２５ｅで算出されたパイロットキャリアの振幅値を所定のキャリア数積算する。これと共に振幅算出回路２５ｏで算出されたデータキャリアの振幅値を所定のキャリア数積算する。【０１９０】
パイロットキャリアは、理想的には同一の振幅と位相を有しているので、パイロットキャリアの振幅値の積算値は、時間の経過と共に一定の大きさを有するようになる。これに対して、受信状態が悪い場合には、パイロットキャリアの振幅と位相がランダムになりがちであるので、積算値が小さくなる傾向がある。【０１９１】
これに対して、データキャリアは、振幅や位相がランダムであるため、複素加算回路２５ｎにおいてベクトル的な加算が行われることで、複素加算回路２５ｎの出力（すなわちデータキャリアの振幅値）の積算値は、値「０」に漸近する。【０１９２】
比較回路２５ｐは、キャリア群に含まれるパイロットキャリアの振幅値の積算値とデータキャリアの振幅値の積算値を比較する。さらに、その上で、パイロットキャリアの積算値とデータキャリアの積算値の差分を第４閾値と比較する。【０１９３】
受信状態が良好であれば、パイロットキャリアの積算値は、データキャリアの積算値に対して十分に大きくなるはずである。このため、比較回路２５ｐは、パイロットキャリアの積算値がデータキャリアの積算値よりも大きく、その差分が所定の第４閾値よりも大きい場合には、このブランチを、「動作ブランチ」として判定する。逆に、その差分が所定の第４閾値以下の場合には、このブランチを、「停止ブランチ」として判定する。【０１９４】
このように、所定のキャリア数に対応するデータキャリアとパイロットキャリアの振幅値の積算値を比較することで、精度の高い受信状態の判定ができる。【０１９５】
なお、実施の形態３においては、受信状態の判定について４つの例を用いて説明したが、これらの例に限られるものではない。【０１９６】
第１判定部２５と第２判定部３５は、以上のような処理にて判定した判定結果を、制御部１０に出力する。制御部１０は、実施の形態１、２で説明されたとおり、判定結果を受けて、第１ブランチ５、第２ブランチ６を制御する。すなわち、停止ブランチと判定されたブランチが記憶する記憶値を初期化し、このブランチのクロック信号を停止もしくは低減する。【０１９７】
実施の形態３におけるダイバーシティ受信装置１は、第１ブランチ５と第２ブランチ６の受信状態を容易かつ正確に判定できる。この判定結果に基づく制御により、ダイバーシティ受信の受信精度の劣化が防止でき、消費電力も削減できる。【０１９８】
（実施の形態４）
次に、図１４を用いて実施の形態４について説明する。【０１９９】
図１４は、本発明の実施の形態４におけるダイバーシティ受信装置のブロック図である。【０２００】
図１に示されたダイバーシティ受信装置１に、命令出力部５０が新たに設けられている。図１と同じ符号を付した要素は、図１を用いて説明したのと同等の機能を有する。【０２０１】
命令出力部５０は、停止ブランチとなっているブランチの動作の起動を、制御部１０に出力する。例えば、ダイバーシティ受信装置１の外部からのユーザーによる起動ボタンのアクティブにより、命令出力部５０は、生成した起動信号を制御部１０に出力する。【０２０２】
制御部１０は、起動に係る指示信号を受けて「停止ブランチ」の動作を再開させる。【０２０３】
例えば、第１ブランチ５が停止ブランチになっており、第２ブランチ６が動作ブランチとする。制御部１０は、停止ブランチとなっている第１ブランチ５を起動させる指示信号を受けると、まずクロック制御信号１０２を解除してクロック信号を本来の周波数の信号に戻す。次いで、制御部１０は、ブランチリセット信号１０１を解除して、ブランチの記憶する初期化を解除する。初期化の解除の結果、ブランチに含まれるメモリやフリップフロップは、演算により生成された値を新たに記憶し始める。【０２０４】
このように、まずクロック信号が再開され、次いで初期化が解除されることで、停止ブランチから動作ブランチに移行したブランチが、誤動作を生じることがない。また、実施の形態２で説明したように、補正部の記憶する周波数オフセット量は、初期化されずに初期化前の値が残っているので、チューナ１１、１２や検波部２１、３１は、即座に動作可能である。【０２０５】
以上のようなダイバーシティ受信装置により、一旦停止ブランチと判定され、動作が停止していたブランチについても、必要に応じて動作を再開させることができる。すなわち、ユーザビリティの高いダイバーシティ受信装置が実現できる。【０２０６】
なお、停止ブランチを再起動させたい場合とは、例えば、受信環境がよくなって、ユーザーが停止しているブランチも用いてダイバーシティ受信を再開させたい場合、あるいは単一ブランチ受信で受信状態が不良であるためにダイバーシティ受信を再開させたい場合などである。。【０２０７】
また、命令出力部５０は、ユーザーからの制御に従って、動作しているブランチを強制的に停止させるための、停止に係る指示信号を制御部１０に出力するようにしても良い。【０２０８】
例えば、ダイバーシティ受信による受信環境が劣化してきた場合、あるいは単一ブランチ動作でも受信環境が良好であるので消費電力を低下させたい場合などである。【０２０９】
このように、ブランチ毎の受信状態が判定され、受信状態が不良と判定されたブランチに対しては、クロック信号の低減もしくは停止が行われることで、消費電力が削減される。また、クロック信号の低減もしくは停止に先立って、記憶値の初期化が行われることで、復帰後の誤動作を防止できる。【０２１０】
なお、実施の形態１から４においては、第１ブランチ５と第２ブランチ６を備えるダイバーシティ受信装置１を例として説明したが、３以上のブランチを備えていても良い。【０２１１】
また、ダイバーシティ受信装置１の一部もしくは全部は、ハードウェアで構成されても、ソフトウェアで構成されても良い。また、ダイバーシティ受信装置１の一部もしくは全部は、半導体集積回路で構成されても良い。【０２１２】
ソフトウェアで構成される場合には、プロセッサとプログラムを記憶したＲＯＭやＲＡＭなどが備えられて、必要な処理が行われる。【０２１３】
ＣＰＵは、ＲＯＭやＲＡＭに記憶されたプログラムを読み込む。次いで、ＣＰＵは、読み込んだプログラムを使用して、ＯＦＤＭ信号の受信、ＯＦＤＭ信号の復調、受信状態の判定およびダイバーシティ受信の処理を行う。【０２１４】
なお、ダイバーシティ受信装置１は、据え置き型のテレビやＡＶ機器、コンピュータなどに加えて、移動端末（携帯端末、携帯電話、車載テレビ、カーナビゲーションシステム、携帯型テレビ、携帯型ラジオ、ノートブック型パソコン）に搭載されて利用される。特に、受信精度の向上と低消費電力の両方が求められる電子機器に好適に利用される。
【産業上の利用可能性】
【０２１５】
本発明は、例えば、地上デジタル放送を受信する携帯端末や移動端末に含まれるダイバーシティ受信装置の分野等において好適に利用できる。
【図１】
2008007490.tif 000003
【図２】
2008007490.tif 000004
【図３】
2008007490.tif 000005
【図４】
2008007490.tif 000006
【図５】
2008007490.tif 000007
【図６】
2008007490.tif 000008
【図７】
2008007490.tif 000009
【図８】
2008007490.tif 000010
【図９】
2008007490.tif 000011
【図１０】
2008007490.tif 000012
【図１１】
2008007490.tif 000013
【図１２】
2008007490.tif 000014
【図１３】
2008007490.tif 000015
【図１４】
2008007490.tif 000016
【手続補正書】
【提出日】平成20年2月18日(2008.2.18)
【手続補正１】
【補正対象書類名】特許請求の範囲
【補正対象項目名】全文
【補正方法】変更
【補正の内容】
【特許請求の範囲】
【請求項１】
データキャリアとパイロットキャリアを含むキャリア群が多重化された周波数多重信号を復調して第１データキャリアと第１パイロットキャリアを出力する第１ブランチと、
データキャリアとパイロットキャリアを含むキャリア群が多重化された周波数多重信号を復調して第２データキャリアと第２パイロットキャリアを出力する第２ブランチと、
前記第１ブランチで復調されるキャリア群と前記第２ブランチで復調されるキャリア群の処理タイミングを同期させるタイミング調整部と、
前記第１データキャリアと前記第２データキャリアを合成もしくは選択する合成・選択部と、
前記第１ブランチの受信状態および前記第２ブランチの受信状態の少なくとも一方に基づいて、前記第１ブランチおよび第２ブランチの少なくとも一方の動作の停止と起動を制御する制御部を備え、
前記制御部は、前記停止ブランチが記憶する記憶値の初期化および前記停止ブランチのクロック信号の低減の少なくとも一つを行うダイバーシティ受信装置。
【請求項２】
前記第１ブランチの受信状態を判定して判定結果を前記制御部に出力する第１判定部と、前記第２ブランチの受信状態を判定して判定結果を前記制御部に出力する第２判定部を更に備える請求の範囲第１項記載のダイバーシティ受信装置。
【請求項３】
前記第１判定部は、前記第１ブランチの受信状態に基づいて、前記第１ブランチを停止ブランチもしくは動作ブランチとして判定し、前記第２判定部は、前記第２ブランチの受信状態に基づいて、前記第２ブランチを停止ブランチもしくは動作ブランチとして判定する請求の範囲第２項記載のダイバーシティ受信装置。
【請求項４】
（削除）
【請求項５】
前記制御部は、前記停止ブランチが記憶する記憶値の初期化を行ってから、前記停止ブランチのクロック信号の低減を行う請求の範囲第１項記載のダイバーシティ受信装置。
【請求項６】
前記第１ブランチと前記第２ブランチのそれぞれは、前記周波数多重信号に対する周波数オフセット量を補正する補正部を備え、
前記制御部は、前記停止ブランチが記憶する前記周波数オフセット量を保持したまま、前記初期化を行ってから、前記停止ブランチのクロック信号の低減を行う請求の範囲第１項記載のダイバーシティ受信装置。
【請求項７】
前記クロック信号の低減は、クロック信号の停止を含む請求の範囲第１項記載のダイバーシティ受信装置。
【請求項８】
（削除）
【請求項９】
前記第１判定部は、第１タイミングと、前記第１タイミングより時間的に後の第２タイミングのそれぞれにおいて前記第１パイロットキャリアの振幅値を算出し、前記第２タイミングにおける振幅値が、前記第１タイミングにおける振幅値に対して所定の閾値より大きい場合には、前記第１ブランチを動作ブランチとして判定し、前記閾値以下の場合には、前記第１ブランチを停止ブランチとして判定し、
前記第２判定部は、第１タイミングと、前記第１タイミングより時間的に後の第２タイミングのそれぞれにおいて前記第２パイロットキャリアの振幅値を算出し、前記第２タイミングにおける振幅値が、前記第１タイミングにおける振幅値に対して所定の閾値より大きい場合には、前記第２ブランチを動作ブランチとして判定し、前記閾値以下の場合には、前記第２ブランチを停止ブランチとして判定する請求の範囲第３項記載のダイバーシティ受信装置。
【請求項１０】
前記第１判定部は、第１タイミングと、前記第１タイミングより時間的に後の第２タイミングのそれぞれにおいて、前記第１パイロットキャリアの振幅値を算出し、前記第２タイミングにおける振幅値が、前記第１タイミングにおける振幅値に対して大きい場合には、前記第１ブランチを動作ブランチとして判定し、前記第２タイミングにおける振幅値が、前記第１タイミングにおける振幅値以下の場合には、前記第１ブランチを停止ブランチとして判定し、
前記第２判定部は、第１タイミングと、前記第１タイミングより時間的に後の第２タイミングのそれぞれにおいて、前記第２パイロットキャリアの振幅値を算出し、前記第２タイミングにおける振幅値が、前記第１タイミングにおける振幅値より大きい場合には、前記第２ブランチを動作ブランチとして判定し、前記第２タイミングにおける振幅値が、前記第１タイミングにおける振幅値以下の場合には、前記第２ブランチを停止ブランチとして判定する請求の範囲第３項記載のダイバーシティ受信装置。
【請求項１１】
（削除）
【請求項１２】
前記第１判定部は、所定のキャリア数の前記第１パイロットキャリアの振幅値を積算すると共に、所定のキャリア数の前記第１データキャリアの振幅値を積算し、前記第１パイロットキャリアの積算値が、前記第１データキャリアの積算値よりも大きい場合には、前記第１ブランチを動作ブランチとして判定し、前記第１パイロットキャリアの積算値が、前記第１データキャリアの積算値以下の場合には、前記第１ブランチを停止ブランチとして判定し、
前記第２判定部は、所定のキャリア数の前記第２パイロットキャリアの振幅値を積算すると共に、所定のキャリア数の前記第２データキャリアの振幅値を積算し、前記第２パイロットキャリアの積算値が、前記第２データキャリアの積算値よりも大きい場合には、前記第２ブランチを動作ブランチとして判定し、前記第２パイロットキャリアの積算値が、前記第２データキャリアの積算値以下の場合には、前記第２ブランチを停止ブランチとして判定する請求の範囲第３項記載のダイバーシティ受信装置。
【請求項１３】
前記制御部は、前記停止ブランチを起動する指示信号を受けた場合には、前記指示信号に基づいて前記停止ブランチに対して、クロック信号の動作を再開してから前記初期化を解除する請求の範囲第１項記載のダイバーシティ受信装置。
【請求項１４】
前記第１ブランチと前記第２ブランチのそれぞれは、前記周波数多重信号の所定の帯域を受信して受信信号を出力するチューナと、前記受信信号をアナログ信号からデジタル信号に変換するアナログデジタル変換部と、前記アナログデジタル変換部の出力を検波する検波部と、前記検波部の出力を時間軸の信号から周波数軸の信号に変換する時間周波数変換部を備える請求の範囲第１項記載のダイバーシティ受信装置。
【請求項１５】
前記周波数多重信号は、直交周波数分割多重信号である請求の範囲第１項記載のダイバーシティ受信装置。
【請求項１６】
データキャリアとパイロットキャリアを含むキャリア群が多重化された周波数多重信号を復調して第１データキャリアと第１パイロットキャリアを出力する第１ブランチと、
データキャリアとパイロットキャリアを含むキャリア軍が多重化された周波数多重信号を復調して第２データキャリアと第２パイロットキャリアを出力する第２ブランチを備え、
前記第１ブランチで復調されるキャリア群と前記第２ブランチで復調されるキャリア群の処理タイミングを同期させ、
前記第１データキャリアと前記第２データキャリアを合成もしくは選択し、
前記第１ブランチの受信状態および前記第２ブランチの受信状態の少なくとも一方に基づいて、前記第１ブランチおよび第２ブランチの少なくとも一方の動作の停止と起動を制御し、
前記制御は、前記停止ブランチが記憶する記憶値の初期化および前記停止ブランチのクロック信号の低減の少なくとも一つを行うダイバーシティ受信方法。
【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
データキャリアとパイロットキャリアを含むキャリア群が多重化された周波数多重信号を復調して第１データキャリアと第１パイロットキャリアを出力する第１ブランチと、
データキャリアとパイロットキャリアを含むキャリア群が多重化された周波数多重信号を復調して第２データキャリアと第２パイロットキャリアを出力する第２ブランチと、
前記第１ブランチで復調されるキャリア群と前記第２ブランチで復調されるキャリア群の処理タイミングを同期させるタイミング調整部と、
前記第１データキャリアと前記第２データキャリアを合成もしくは選択する合成・選択部と、
前記第１ブランチの受信状態および前記第２ブランチの受信状態の少なくとも一方に基づいて、前記第１ブランチおよび第２ブランチの少なくとも一方の動作の停止と起動を制御する制御部を備え、
前記制御部は、前記停止ブランチが記憶する記憶値の初期化および前記停止ブランチのクロック信号の低減の少なくとも一つを行うダイバーシティ受信装置。
【請求項２】
前記第１ブランチの受信状態を判定して判定結果を前記制御部に出力する第１判定部と、前記第２ブランチの受信状態を判定して判定結果を前記制御部に出力する第２判定部を更に備える請求の範囲第１項記載のダイバーシティ受信装置。
【請求項３】
前記第１判定部は、前記第１ブランチの受信状態に基づいて、前記第１ブランチを停止ブランチもしくは動作ブランチとして判定し、前記第２判定部は、前記第２ブランチの受信状態に基づいて、前記第２ブランチを停止ブランチもしくは動作ブランチとして判定する請求の範囲第２項記載のダイバーシティ受信装置。
【請求項４】
前記制御部は、前記停止ブランチが記憶する記憶値の初期化を行ってから、前記停止ブランチのクロック信号の低減を行う請求の範囲第１項記載のダイバーシティ受信装置。
【請求項５】
前記第１ブランチと前記第２ブランチのそれぞれは、前記周波数多重信号に対する周波数オフセット量を補正する補正部を備え、
前記制御部は、前記停止ブランチが記憶する前記周波数オフセット量を保持したまま、前記初期化を行ってから、前記停止ブランチのクロック信号の低減を行う請求の範囲第１項記載のダイバーシティ受信装置。
【請求項６】
前記クロック信号の低減は、クロック信号の停止を含む請求の範囲第１項記載のダイバーシティ受信装置。
【請求項７】
前記第１判定部は、第１タイミングと、前記第１タイミングより時間的に後の第２タイミングのそれぞれにおいて前記第１パイロットキャリアの振幅値を算出し、前記第２タイミングにおける振幅値が、前記第１タイミングにおける振幅値に対して所定の閾値より大きい場合には、前記第１ブランチを動作ブランチとして判定し、前記閾値以下の場合には、前記第１ブランチを停止ブランチとして判定し、
前記第２判定部は、第１タイミングと、前記第１タイミングより時間的に後の第２タイミングのそれぞれにおいて前記第２パイロットキャリアの振幅値を算出し、前記第２タイミングにおける振幅値が、前記第１タイミングにおける振幅値に対して所定の閾値より大きい場合には、前記第２ブランチを動作ブランチとして判定し、前記閾値以下の場合には、前記第２ブランチを停止ブランチとして判定する請求の範囲第３項記載のダイバーシティ受信装置。
【請求項８】
前記第１判定部は、第１タイミングと、前記第１タイミングより時間的に後の第２タイミングのそれぞれにおいて、前記第１パイロットキャリアの振幅値を算出し、前記第２タイミングにおける振幅値が、前記第１タイミングにおける振幅値に対して大きい場合には、前記第１ブランチを動作ブランチとして判定し、前記第２タイミングにおける振幅値が、前記第１タイミングにおける振幅値以下の場合には、前記第１ブランチを停止ブランチとして判定し、
前記第２判定部は、第１タイミングと、前記第１タイミングより時間的に後の第２タイミングのそれぞれにおいて、前記第２パイロットキャリアの振幅値を算出し、前記第２タイミングにおける振幅値が、前記第１タイミングにおける振幅値より大きい場合には、前記第２ブランチを動作ブランチとして判定し、前記第２タイミングにおける振幅値が、前記第１タイミングにおける振幅値以下の場合には、前記第２ブランチを停止ブランチとして判定する請求の範囲第３項記載のダイバーシティ受信装置。
【請求項９】
前記第１判定部は、所定のキャリア数の前記第１パイロットキャリアの振幅値を積算すると共に、所定のキャリア数の前記第１データキャリアの振幅値を積算し、前記第１パイロットキャリアの積算値が、前記第１データキャリアの積算値よりも大きい場合には、前記第１ブランチを動作ブランチとして判定し、前記第１パイロットキャリアの積算値が、前記第１データキャリアの積算値以下の場合には、前記第１ブランチを停止ブランチとして判定し、
前記第２判定部は、所定のキャリア数の前記第２パイロットキャリアの振幅値を積算すると共に、所定のキャリア数の前記第２データキャリアの振幅値を積算し、前記第２パイロットキャリアの積算値が、前記第２データキャリアの積算値よりも大きい場合には、前記第２ブランチを動作ブランチとして判定し、前記第２パイロットキャリアの積算値が、前記第２データキャリアの積算値以下の場合には、前記第２ブランチを停止ブランチとして判定する請求の範囲第３項記載のダイバーシティ受信装置。
【請求項１０】
前記制御部は、前記停止ブランチを起動する指示信号を受けた場合には、前記指示信号に基づいて前記停止ブランチに対して、クロック信号の動作を再開してから前記初期化を解除する請求の範囲第１項記載のダイバーシティ受信装置。
【請求項１１】
前記第１ブランチと前記第２ブランチのそれぞれは、前記周波数多重信号の所定の帯域を受信して受信信号を出力するチューナと、前記受信信号をアナログ信号からデジタル信号に変換するアナログデジタル変換部と、前記アナログデジタル変換部の出力を検波する検波部と、前記検波部の出力を時間軸の信号から周波数軸の信号に変換する時間周波数変換部を備える請求の範囲第１項記載のダイバーシティ受信装置。
【請求項１２】
前記周波数多重信号は、直交周波数分割多重信号である請求の範囲第１項記載のダイバーシティ受信装置。
【請求項１３】
データキャリアとパイロットキャリアを含むキャリア群が多重化された周波数多重信号を復調して第１データキャリアと第１パイロットキャリアを出力する第１ブランチと、
データキャリアとパイロットキャリアを含むキャリア軍が多重化された周波数多重信号を復調して第２データキャリアと第２パイロットキャリアを出力する第２ブランチを備え、
前記第１ブランチで復調されるキャリア群と前記第２ブランチで復調されるキャリア群の処理タイミングを同期させ、
前記第１データキャリアと前記第２データキャリアを合成もしくは選択し、
前記第１ブランチの受信状態および前記第２ブランチの受信状態の少なくとも一方に基づいて、前記第１ブランチおよび第２ブランチの少なくとも一方の動作の停止と起動を制御し、
前記制御は、前記停止ブランチが記憶する記憶値の初期化および前記停止ブランチのクロック信号の低減の少なくとも一つを行うダイバーシティ受信方法。
【手続補正２】
【補正対象書類名】明細書
【補正対象項目名】全文
【補正方法】変更
【補正の内容】
【発明の詳細な説明】
【技術分野】
【０００１】
本発明は、周波数多重信号、特に地上デジタル放送に用いられる直交周波数分割多重信号（以下、「ＯＦＤＭ信号」という）を受信するダイバーシティ受信装置およびダイバーシティ受信方法に関するものである。
【背景技術】
【０００２】
わが国においては、２００３年よりＩＳＤＢ−Ｔ方式により地上デジタル放送が開始された。また、欧州、北米、南米、アジア圏を始め、世界各国でアナログ放送がデジタル化され、地上デジタル放送が開始されつつある。これらに国の多くにおいて、日本におけるＩＳＤＢ−Ｔ方式と同等、あるいは準拠された技術が用いられ、特に、多数のキャリアが周波数軸において直交多重化されたＯＦＤＭ信号が用いられている。
【０００３】
ＯＦＤＭ信号は、マルチパスに強い特徴を有しているが、更に受信精度を高めるために、周波数軸上に多重化されたキャリア毎のダイバーシティ受信を行うことが提案されている（例えば、特許文献１参照）。
【０００４】
ここで、キャリア毎のダイバーシティ受信を行うためには、ダイバーシティ受信装置は、複数のブランチを備える必要がある。ここで、電波状態によっては、複数のブランチの内のいずれかのブランチでの受信状態が劣化することがある。
【０００５】
このように受信状態の悪いブランチで復調されたキャリアを、ダイバーシティ受信におけるキャリア毎の合成に用いると、却って受信精度が劣化する問題が生じる。
【０００６】
また、受信状態の悪いブランチでの復調動作をそのままにすると、受信精度の劣化を引き起こす上に、不要な消費電力を生じさせる問題がある。
【０００７】
また、受信状態の悪いブランチでの復調動作を停止して停止後にブランチの復調動作を再開する場合に、停止時に記憶されているデータにより、ブランチが誤動作を起こすこともありえる。この場合には、ブランチの復調動作を再開した場合に、十分な受信精度を得るまでに余分な時間を要する問題もあった。
【特許文献１】特開２００４−２４２１９１号公報
【発明の開示】
【発明が解決しようとする課題】
【０００８】
そこで本発明は、ダイバーシティ受信に起因して生じる受信精度の劣化を防止しつつ、消費電力を削減できるダイバーシティ受信装置およびダイバーシティ受信方法を提供することを目的とする。
【課題を解決するための手段】
【０００９】
第１の発明に係るダイバーシティ受信装置は、データキャリアとパイロットキャリアを含むキャリア群が多重化された周波数多重信号を復調して第１データキャリアと第１パイロットキャリアを出力する第１ブランチと、データキャリアとパイロットキャリアを含むキャリア群が多重化された周波数多重信号を復調して第２データキャリアと第２パイロットキャリアを出力する第２ブランチと、第１ブランチで復調されるキャリア群と第２ブランチで復調されるキャリア群の処理タイミングを同期させるタイミング調整部と、第１データキャリアと第２データキャリアを合成もしくは選択する合成・選択部と、第１ブランチの受信状態および第２ブランチの受信状態の少なくとも一方に基づいて、第１ブランチおよび第２ブランチの少なくとも一方の動作の停止と起動を制御する制御部を備える。
【００１０】
この構成により、ダイバーシティ受信での受信精度を劣化させる受信状態となったブランチのダイバーシティ受信への寄与度を低下できる。結果として、ダイバーシティ受信での受信精度の劣化が防止できる。また、受信状態の悪いブランチの動作の停止と起動を制御することで、消費電力の削減と動作の簡素化が実現できる。
【００１１】
第２の発明に係るダイバーシティ受信装置では、第１の発明に加えて、第１ブランチの受信状態を判定して判定結果を制御部に出力する第１判定部と、第２ブランチの受信状態を判定して判定結果を制御部に出力する第２判定部を更に備える。
【００１２】
この構成により、ダイバーシティ受信装置が備えている複数のブランチのそれぞれの受信状態の変動を把握できる。
【００１３】
第３の発明に係るダイバーシティ受信装置では、第２の発明に加えて、第１判定部は、第１ブランチの受信状態に基づいて、第１ブランチを停止ブランチもしくは動作ブランチとして判定する、第２判定部は、第２ブランチの受信状態に基づいて、第２ブランチを停止ブランチである、もしくは動作ブランチとして判定する。
【００１４】
この構成により、ダイバーシティ受信装置が有している複数のブランチのそれぞれの受信状態が把握された上で、ダイバーシティ受信にその復調結果が用いられるブランチと、復調結果が用いられないブランチが適切に区別される。
【００１５】
第４の発明に係るダイバーシティ受信装置では、第３の発明に加えて、制御部は、停止ブランチが記憶する記憶値の初期化および停止ブランチのクロック信号の低減の少なくとも一つを行う。
【００１６】
この構成により、ダイバーシティ受信にとって不使用となったブランチにおける消費電力を削減できる。加えて、記憶値の初期化により、動作停止時や動作再開時の誤動作を防止できる。
【００１７】
第５の発明に係るダイバーシティ受信装置では、第３の発明に加えて、制御部は、停止ブランチが記憶する記憶値の初期化を行ってから、停止ブランチのクロック信号の低減を行う。
【００１８】
この構成により、初期化の後で、クロック信号の低減が行われるので、初期化において、不適切な値で初期化される問題は生じにくい。
【００１９】
第６の発明に係るダイバーシティ受信装置では、第３の発明に加えて、第１ブランチと第２ブランチのそれぞれは、周波数多重信号に対する周波数オフセット量を補正する補正部を備え、制御部は、停止ブランチが記憶する周波数オフセット量を保持したまま、初期化を行ってから、停止ブランチのクロック信号の低減を行う。
【００２０】
この構成により、停止ブランチの記憶値が初期化される場合でも、周波数オフセット量はそのまま維持されるので、停止ブランチの動作の再開後に、周波数オフセット量の算出が不要となる。このため、停止ブランチの再開が指示された場合に、短時間で動作を再開できる。
【００２１】
第７の発明に係るダイバーシティ受信装置では、第４から第６のいずれかの発明に加えて、クロック信号の低減は、クロック信号の停止を含む。
【００２２】
この構成により、停止ブランチの消費電力を大きく削減できる。
【００２３】
第８の発明に係るダイバーシティ受信装置では、第３から第７のいずれかの発明に加えて、第１判定部は、第１パイロットキャリアの振幅値が所定の閾値よりも大きい場合には第１ブランチを動作ブランチとして判定し、閾値以下の場合には第１ブランチを停止ブランチとして判定し、第２判定部は、第２パイロットキャリアの振幅値が所定の閾値よりも大きい場合には第２ブランチを動作ブランチとして判定し、閾値以下の場合には第２ブランチを停止ブランチとして判定する。
【００２４】
この構成により、簡単にブランチの受信状態が判定できる。
【００２５】
第９の発明に係るダイバーシティ受信装置では、第３から第７のいずれかの発明に加えて、第１判定部は、第１タイミングと、第１タイミングより時間的に後の第２タイミングのそれぞれにおいて第１パイロットキャリアの振幅値を算出し、第２タイミングにおける振幅値が、第１タイミングにおける振幅値に対して所定の閾値より大きい場合には、第１ブランチを動作ブランチとして判定し、閾値以下の場合には、第１ブランチを停止ブランチとして判定し、第２判定部は、第１タイミングと、第１タイミングより時間的に後の第２タイミングのそれぞれにおいて第２パイロットキャリアの振幅値を算出し、第２タイミングにおける振幅値が、第１タイミングにおける振幅値に対して所定の閾値より大きい場合には、第２ブランチを動作ブランチとして判定し、閾値以下の場合には、第２ブランチを停止ブランチとして判定する。
【００２６】
この構成により、あるタイミングでの受信状態だけでなく、一定期間における受信状態の変化を考慮して、ブランチの受信状態を判定できる。すなわち、フェージングなどによる、急激な受信状態の変化も考慮して、ブランチの受信状態を判定できる。
【００２７】
第１０の発明に係るダイバーシティ受信装置では、第３から第７のいずれかの発明に加えて、第１判定部は、第１タイミングと、第１タイミングより時間的に後の第２タイミングのそれぞれにおいて、第１パイロットキャリアの振幅値を算出し、第２タイミングにおける振幅値が、第１タイミングにおける振幅値よりも大きい場合には、第１ブランチを動作ブランチとして判定し、第２タイミングにおける振幅値が、第１タイミングにおける振幅値以下の場合には、第１ブランチを停止ブランチとして判定し、第２判定部は、第１タイミングと、第１タイミングより時間的に後の第２タイミングのそれぞれにおいて、第２パイロットキャリアの振幅値を算出し、第２タイミングにおける振幅値が、第１タイミングにおける振幅値より大きい場合には、第２ブランチを動作ブランチとして判定し、第２タイミングにおける振幅値が、第１タイミングにおける振幅値以下の場合には、第２ブランチを停止ブランチとして判定する。
【００２８】
この構成により、あるタイミングでの受信状態だけでなく、一定期間における受信状態の変化を考慮して、ブランチの受信状態を判定できる。すなわち、フェージングなどによる、急激な受信状態の変化も考慮して、ブランチの受信状態を判定できる。
【００２９】
第１１の発明に係るダイバーシティ受信装置では、第３から第７のいずれかの発明に加えて、第１判定部と第２判定部のそれぞれは、第１パイロットキャリアと第２パイロットキャリアのそれぞれの振幅値の差分が所定の閾値より大きい場合には、振幅値の低いブランチを停止ブランチとして判定する。
【００３０】
この構成により、個々の受信状態に加えて、複数のブランチの受信状態のバランスに基づいて、あるブランチの受信状態を判定できる。すなわち、複数のブランチの受信状態のバランスに基づいて、ダイバーシティ受信に使用するブランチと不使用とするブランチを決めることができ、ダイバーシティ受信の受信精度を向上させることができる。
【００３１】
第１２の発明に係るダイバーシティ受信装置では、第３から第７のいずれかの発明に加えて、第１判定部は、所定のキャリア数の第１パイロットキャリアの振幅値を積算すると共に、所定のキャリア数の第１データキャリアの振幅値を所定積算し、第１パイロットキャリアの積算値が、第１データキャリアの積算値よりも大きい場合には、第１ブランチを動作ブランチとして判定し、第１パイロットキャリアの積算値が、第１データキャリアの積算値以下の場合には、第１ブランチを停止ブランチとして判定し、第２判定部は、所定のキャリア数の第２パイロットキャリアの振幅値を積算すると共に、所定のキャリア数の第２データキャリアの振幅値を所定積算し、第２パイロットキャリアの積算値が、第２データキャリアの積算値よりも大きい場合には、第２ブランチを動作ブランチとして判定し、第２パイロットキャリアの積算値が、第２データキャリアの積算値以下の場合には、第２ブランチを停止ブランチとして判定する。
【００３２】
この構成により、より正確に受信状態を判定できる。
【００３３】
第１３の発明に係るダイバーシティ受信装置では、第１から第１２のいずれかの発明に加えて、制御部は、停止ブランチを起動する指示信号を受けた場合には、指示信号に基づいて停止ブランチに対して、クロック信号の動作を再開してから初期化を解除する。
【００３４】
この構成により、動作の再開後の誤動作が防止できる。
【発明の効果】
【００３５】
本発明によれば、複数のブランチを備えるダイバーシティ受信装置における、ブランチ毎の受信状態の判定に基づいて、受信状態の悪いブランチの動作を停止できる。この結果、消費電力が削減できると共に受信状態の悪いブランチの復調結果をダイバーシティ受信に使用しないですむので、ダイバーシティ受信での受信精度の劣化が防止できる。すなわち、ダイバーシティ受信装置の消費電力の削減と、受信精度の向上との適切なバランスが図られる。
【図面の簡単な説明】
【００３６】
【図１】本発明の実施の形態１におけるダイバーシティ受信装置のブロック図である。
【図２】本発明の実施の形態１におけるＯＦＤＭ信号を説明する説明図である。
【図３】本発明の実施の形態１におけるタイミング調整部とその周辺のブロック図である。
【図４】本発明の実施の形態１におけるタイミング調整を説明するタイミングチャートである。
【図５】本発明の実施の形態１における最大比合成を示す説明図である。
【図６】本発明の実施の形態１における停止処理を説明するタイミングチャートである。
【図７】本発明の実施の形態２におけるダイバーシティ受信装置のブロック図である。
【図８】本発明の実施の形態３における第１判定部の内部ブロック図である。
【図９】本発明の実施の形態３における第１判定部の内部ブロック図である。
【図１０】本発明の実施の形態３における判定部の判定処理を説明する説明図である。
【図１１】本発明の実施の形態３における判定部の判定処理を説明する説明図である。
【図１２】本発明の実施の形態３における第１判定部と第２判定部のブロック図である。
【図１３】本発明の実施の形態３における第１判定部のブロック図である。
【図１４】本発明の実施の形態４におけるダイバーシティ受信装置のブロック図である。
【符号の説明】
【００３７】
１  ダイバーシティ受信装置
２、３  アンテナ
５  第１ブランチ
６  第２ブランチ
７  タイミング調整部
８  合成・選択部
９  誤り訂正部
１０  制御部
２０、３０  アナログデジタル変換部
２１、３１  検波部
２２、３２  ＦＦＴ
２３  第１波形等化部
３３  第２波形等化部
４０  画像音声復号部
【発明を実施するための最良の形態】
【００３８】
以下、図面を参照しながら、本発明の実施の形態を説明する。
【００３９】
（実施の形態１）
図１〜図５を用いて、実施の形態１について説明する。
【００４０】
図１は、本発明の実施の形態１におけるダイバーシティ受信装置のブロック図であり、図２は、本発明の実施の形態１におけるＯＦＤＭ信号を説明する説明図である。
【００４１】
なお、本明細書において、周波数多重信号について、地上デジタル放送の規格であるＩＳＤＢ−Ｔ規格により規定されているＯＦＤＭ信号を例として説明する。また、ＯＦＤＭ信号においては、複数のキャリアが周波数軸上において直交されて多重化されているが、ＯＦＤＭ信号は、画像や音声データが変調されたデータキャリアと、受信特性を判定するためのパイロットキャリアと、変調方式などの情報を含む伝送制御キャリアとを含む。なお、ＯＦＤＭ信号は、本発明における周波数多重信号の一例に過ぎず、本発明における周波数多重信号は、ＦＤＭ信号やＳＳ−ＯＦＤＭ信号などの通信信号を幅広く含むものである。
【００４２】
（全体概要）
ダイバーシティ受信装置１は、ＯＦＤＭ信号を受信して復調し、第１データキャリアと第１パイロットキャリアを出力する第１ブランチ５と、ＯＦＤＭ信号を受信して復調し、第２データキャリアと第２パイロットキャリアを出力する第２ブランチ６と、第１データキャリアと第２データキャリアを合成もしくは選択する合成・選択部８を備えている。更に、第１ブランチ５と第２ブランチ６で復調されるキャリア群の処理タイミングを同期させるタイミング調整部７と、第１ブランチ５の受信状態および第２ブランチ６の受信状態の少なくとも一方に基づいて、第１ブランチ５と第２ブランチ６の少なくとも一方の動作の停止と起動を制御する制御部１０を備えている。
【００４３】
合成・選択部８は、誤り訂正部９に演算結果を出力し、誤り訂正部９は、ビタビ復号やリードソロモン復号を用いて、誤り訂正を行う。
【００４４】
また、第１ブランチ５と第２ブランチ６のそれぞれは、アンテナ２、３に到達したＯＦＤＭ信号から、所望の帯域の信号を受信して受信信号を出力するチューナ１１、１２と、受信信号をアナログ信号からデジタル信号に変換するアナログデジタル変換部２０、３０（図中においては「ＡＤ変換部」と表記）と、アナログデジタル変換部２０、３０の出力を検波する検波部２１、３１と、検波部２１、３１の出力を時間軸の信号から周波数軸の信号に変換する高速フーリエ変換部（以下、「ＦＦＴ」という）２２、３２とを備えている。
【００４５】
なお、ここでＦＦＴは、時間周波数変換を行う要素の一例である。他にも、フラクタルを応用して時間周波数変換を行う要素が用いられてもよい。
【００４６】
更に、第１ブランチ５は、第１ブランチ５の受信状態を判定して判定結果を制御部１０に出力する第１判定部２５を備え、第２ブランチ６は、第２ブランチ６の受信状態を判定して判定結果を制御部１０に出力する第２判定部３５を備える。
【００４７】
次に、各要素の詳細について説明する。
【００４８】
（アンテナ）
アンテナ２、３は、ＯＦＤＭ信号を受信する。アンテナ２、３は、ブランチの個数に対応した個数だけ設けられ、図１においては、第１ブランチ５と第２ブランチ６の２つのブランチが設けられているので、アンテナ２とアンテナ３の２つのアンテナが設けられている。アンテナは、いかなる形態のアンテナでもよく、アンテナ２とアンテナ３との距離は、受信するＯＦＤＭ信号の半波長程度を有していることが好ましい。
【００４９】
（チューナ）
アンテナ２にはチューナ１１が、アンテナ３にはチューナ１２が接続されている。いずれも、放送帯域に応じた中心周波数に基づき、アンテナ２、３で受信されたＯＦＤＭ信号の特定帯域を選択して受信する。
【００５０】
チューナ１１、１２は、受信したＯＦＤＭ信号を受信信号としてアナログデジタル変換部２０、３０に出力する。
【００５１】
なお、チューナ１１、１２が使用する周波数と、検波部２１、３１が使用する周波数にずれがある場合には、後述の周波数オフセット量の補正が行われることが好適である。
【００５２】
（アナログデジタル変換部）
アナログデジタル変換部２０は、チューナ１１からの受信信号を、アナログ信号からデジタル信号に変換する。同様に、アナログデジタル変換部３０は、チューナ１２からの受信信号を、アナログ信号からデジタル信号に変換する。アナログデジタル変換部２０、３０は、ダイバーシティ受信装置１の仕様に応じた分解能を有する。
【００５３】
アナログデジタル変換部２０、３０は、変換したデジタル信号を、検波部２１、３１に出力する。
【００５４】
（検波部）
第１ブランチ５と第２ブランチ６のそれぞれは、検波部２１、３１を備えている。
【００５５】
検波部２１、３１は、デジタル信号に変換された受信信号を直交検波する。検波部２１、３１は、検波した信号をＦＦＴ２２、３２に出力する。
【００５６】
検波部２１、３１は、同期検波や準同期検波により、受信信号を検波する。
【００５７】
（ＦＦＴ）
第１ブランチ５と第２ブランチ６のそれぞれは、ＦＦＴ２２、ＦＦＴ３２を備えている。ＦＦＴ２２、３２のそれぞれは、検波部２１、３１の出力を、時間軸の信号から周波数軸の信号に変換する時間周波数変換部の一例である。時間軸の信号から周波数軸の信号に変換できる機能を有したものであれば、フラクタルを利用した時間周波数変換部でもよく、他のアルゴリズムを利用した時間周波数変換部でよい。
【００５８】
ＦＦＴ２２は、第１ブランチ５における受信信号を、時間軸から周波数軸の信号に変換することで、周波数軸に多重化されているキャリア群を復調する。ここで、ＦＦＴ２２が復調するキャリア群を第１キャリア群という。第１キャリア群は複数のキャリアを含み、複数のキャリアのそれぞれは、相互に直交して多重化されている。
【００５９】
第１キャリア群は、ＩＳＤＢ−Ｔ規格におけるＯＦＤＭ信号に対応して、データキャリアとパイロットキャリアと伝送制御キャリアを含む。
【００６０】
ＦＦＴ２２は、復調した第１キャリア群を、第１波形等化部２３と第１判定部２５に出力する。ここで、ＦＦＴ２２が復調したデータキャリアを第１データキャリアと呼び、ＦＦＴ２２が復調したパイロットキャリアを第１パイロットキャリアと呼ぶ。
【００６１】
ＦＦＴ３２は、第２ブランチ６における受信信号を、時間軸から周波数軸の信号に変換することで、周波数軸に多重化されているキャリア群を復調する。ここで、ＦＦＴ３２が復調するキャリア群を第２キャリア群といい、第２キャリア群は、複数のキャリアを含んでおり、複数のキャリアのそれぞれは、相互に直交して多重化されている。
【００６２】
第１キャリア群と同じく、第２キャリア群は、ＩＳＤＢ−Ｔ規格におけるＯＦＤＭ信号に対応して、データキャリア、パイロットキャリア、伝送制御キャリアを含む。ここで、ＦＦＴ３２が復調したデータキャリアを第２データキャリアと呼び、ＦＦＴ３２が復調したパイロットキャリアを第２パイロットキャリアと呼ぶ。
【００６３】
ＦＦＴ３２は、復調した第２キャリア群を、第２波形等化部３３と第２判定部３５に出力する。
【００６４】
なお、ＦＦＴ２２、３２は、検波部２１、３１の出力を受けて時間周波数変換を行うので、その切り出し範囲（窓位置）を調整する機能も有していることが好ましい。
【００６５】
このＦＦＴ２２、３２により復調されたＯＦＤＭ信号は、図２により模式的に示される。
【００６６】
図２の横軸は周波数軸であり、縦軸は時間軸である。図２に記載の○印のそれぞれは、キャリア群に含まれる個々のキャリアを示している。キャリアのそれぞれは、周波数軸上に多重化されており、時間軸においては、これら多重化された複数のキャリアを１シンボルとして、このシンボルが時間軸において多重化されている。伝送制御キャリアは、復号部（図示せず）で復号されて、制御部１０において放送方式や変調方式が判断される。同様に、検出部（図示せず）は、伝送制御キャリアを用いて、フレーム同期を検出する。ここで、フレームとは、所定の数のシンボルに基づいた単位である。
【００６７】
図２から明らかな通り、キャリア群は、画像や音声データが変調されたデータキャリアと、パイロットキャリアと、伝送制御キャリアとを含んでいる。データキャリアとパイロットキャリアと伝送制御キャリアのそれぞれは、第１波形等化部２３、第２波形等化部３３、第１判定部２５、第２判定部３５に出力される。
【００６８】
（波形等化部）
第１ブランチ５と第２ブランチ６のそれぞれは、第１波形等化部２３、第２波形等化部３３を備えている。
【００６９】
第１波形等化部２３は、第１パイロットキャリアを基に、第１データキャリアの振幅位相制御を行うと共に、第１データキャリアの信頼性を示す第１信頼性値を算出する。
【００７０】
第１パイロットキャリアは、振幅と位相が既知のキャリアであり、第１波形等化部２３は、受信した第１パイロットキャリアを既知のパイロットキャリアで複素除算する。この複素除算により、受信した第１パイロットキャリアの振幅と位相の変動量が算出される。この変動量から伝送路応答が推定される。
【００７１】
第１波形等化部２３は、この推定された伝送路応答に基づいて、ＦＦＴ２２で復調された第１データキャリアの振幅と位相を補正して、復調精度を向上させる。
【００７２】
第１波形等化部２３は、振幅や位相を補正した第１データキャリアと、算出した第１信頼性値を合成・選択部８に出力する。
【００７３】
第２ブランチ６に含まれる第２波形等化部３３も、第１波形等化部２３と同じ機能を有し、同じ処理を行う。第２波形等化部３３は、第２パイロットキャリアを基に、第２データキャリアの振幅と位相を補正すると共に、第２データキャリアの信頼性を示す第２信頼性値を算出する。
【００７４】
（タイミング調整部）
タイミング調整部７は、ＦＦＴ２２での復調とＦＦＴ３２での復調の処理タイミングを同期させる。すなわち、ＦＦＴ２２とＦＦＴ３２とで復調される開始キャリアを揃える。
【００７５】
図２より明らかな通り、ＯＦＤＭ信号はシンボルに基づく単位を有しているので、タイミング調整部７は、第１ブランチ５に含まれるＦＦＴ２２と、第２ブランチ６に含まれるＦＦＴ３２に入力するシンボルの処理タイミングを同期させる。
【００７６】
このタイミング調整により、後述する合成・選択部８に入力する第１データキャリア群と第２データキャリア群の処理タイミングが同期する。
【００７７】
図３と図４を用いてタイミング調整部７について説明する。
【００７８】
図３は、本発明の実施の形態１におけるタイミング調整部とその周辺のブロック図である。図４は、本発明の実施の形態１におけるタイミング調整を説明するタイミングチャートである。
【００７９】
第１ブランチ５は、検波部２１の出力を記憶する記憶部２４を備え、第２ブランチ６は、検波部３１の出力を記憶する記憶部３４を備えている。記憶部２４と記憶部３４は、それぞれ、１シンボル分の受信信号を記憶する。タイミング調整部７は、所定の同一タイミングで記憶部２４と記憶部３４の両方から、記憶されている受信信号をシンボル単位で読み出して、ＦＦＴ２２とＦＦＴ３２に出力する。この結果、ＦＦＴ２２とＦＦＴ３２で復調を開始する場合には、同一シンボルの先頭位置から復調を行えることになり、復調における開始キャリアの処理タイミングが同期する。
【００８０】
図４に、記憶部２４と３４を用いたタイミング調整のタイミングチャートが示されている。図４を用いて、タイミング調整を説明する。
【００８１】
図４では、上半分のチャートが、第１ブランチ５での処理を示し、下半分のチャートが、第２ブランチ６での処理を示している。第１ブランチ５と第２ブランチ６には、それぞれ独立してＯＦＤＭ信号を受信するので、記憶部２４と記憶部３４に入力するＯＦＤＭシンボルは、時間的なずれを持っている。記憶部２４と、記憶部３４は、それぞれ個別にあるＮ番目のＯＦＤＭシンボルを記憶する。すなわち、ある時点で、記憶部２４と記憶部３４のそれぞれは、Ｎ番目のＯＦＤＭシンボルを記憶していることになる。
【００８２】
次いで、タイミング調整部７は、記憶部２４と記憶部３４の両方に、同一の出力タイミングパルスを送る。記憶部２４と記憶部３４は、この同一の時刻における出力タイミングパルスに基づいて、記憶しているＮ番目のＯＦＤＭシンボルを、それぞれＦＦＴ２２とＦＦＴ３２に出力する。この結果、ＦＦＴ２２とＦＦＴ３２においては、同一シンボルの先頭位置から同時に復調を開始できる。すなわち、復調における開始キャリアが、ＦＦＴ２２とＦＦＴ３２とで同一に揃えられることができる。言い換えると、第１ブランチ５と第２ブランチ６での、キャリア復調での処理タイミングが同期する。
【００８３】
結果として、合成・選択部８においては、第１ブランチ５と第２ブランチ６とのデータキャリアの処理タイミングが同期した上で、キャリア毎の合成もしくは選択が行われる。
【００８４】
なお、図３、図４において説明したタイミング調整は一例であり、他の方法が用いられてもよい。
【００８５】
（合成・選択部）
合成・選択部８は、第１波形等化部２３から出力される第１信頼性値と、第２波形等化部３３から出力される第２信頼性値を用いて、第１データキャリア群と第２データキャリア群を選択もしくは合成する。このとき、合成・選択部８は、設定された指示に従い、選択をするか合成をするか決定する。
【００８６】
まず、選択を行う場合について説明する。
【００８７】
第１ブランチ５から第１データキャリア群が、合成・選択部８に入力し、第２ブランチ６から第２データキャリア群が、合成・選択部８に入力する。同様に、第１データキャリア群に含まれる各データキャリアに対する第１信頼性値と、第２データキャリア群に含まれる各データキャリアに対する第２信頼性値も、合成・選択部８に入力する。合成・選択部８は、第１データキャリア群に含まれる任意のデータキャリアに対する第１信頼性値と、これに対応する（周波数軸におけるキャリア位置が同じである）第２データキャリア群に含まれるデータキャリアに対する第２信頼性値を比較して、値の大きい（値の大きい方が信頼性が高いとする場合に）データキャリアを選択して出力する。
【００８８】
この選択により、より受信状態のよいブランチのデータキャリアが、最終的な画像音声復号部４０での復号に用いられ、受信精度が向上する。
【００８９】
次に、合成を行う場合について説明する。
【００９０】
合成・選択部８は、第１データキャリア群に含まれるあるデータキャリアと、これに対応する第２データキャリア群に含まれるデータキャリアを、信頼性値に基づいて最大比合成する。最大比合成とは、信頼性値に従った重量平均を算出することで、第１データキャリア群と第２データキャリア群のデータキャリアを合成することである。
【００９１】
図５を用いて説明する。図５は、本発明の実施の形態１における最大比合成を示す説明図である。
【００９２】
図５では、信頼性値が値「１」〜値「３」までの３段階の値を持っている。信頼性値の値の大きい方が、信頼性が高いものとする。すなわち、信頼性値「３」は信頼性値「１」よりも信頼性が高いことを示す。また第１データキャリア群に含まれるデータキャリアを「Ｃ１」とし、第２データキャリア群に含まれると共に「Ｃ１」に対応するデータキャリアを「Ｃ２」としている。
【００９３】
横列の最上位列は、データキャリア「Ｃ１」の信頼性値である第１信頼性値を示し、縦列の左列は、キャリア「Ｃ２」の信頼性値である第２信頼性値を示している。
【００９４】
合成・選択部８は、図５に示されるように、信頼性値に基づいて最大比合成の計算を行い、その結果を出力する。例えば、データキャリア「Ｃ１」の第１信頼性値が値「２」であり、データキャリア「Ｃ２」の第２信頼性値が値「１」の場合には、合成・選択部８は、（２ｘＣ１＋Ｃ２）／３との計算を行って、出力する。他の場合には、図５に示されるとおりである。
【００９５】
また、合成・選択部８は、最大比合成以外にも、第１データキャリア群に含まれるデータキャリアと第２データキャリア群に含まれるデータキャリアを、一定の比率で合成する等比合成を行っても良い。
【００９６】
なお、合成・選択部８は、キャリア毎に、選択や合成を行う。
【００９７】
このような合成・選択部８でのキャリア毎の選択や合成により、復調精度が向上し、ビットエラーレートなどが減少して、受信性能が向上する。
【００９８】
合成・選択部８は、合成もしくは選択した結果を誤り訂正部９に出力する。
【００９９】
（誤り訂正部）
誤り訂正部９は、復調されたキャリアやキャリアに含まれるデジタルデータの誤りを訂正する。
【０１００】
誤り訂正部９は、ビタビ復号やリードソロモン復号などを行い、キャリアやデータの誤りを検出し訂正する。誤り訂正されたデジタルデータは、画像や音声に関するパケットデータとして、出力される。
【０１０１】
（判定部）
第１ブランチ５は、第１判定部２５を備え、第２ブランチ６は、第２判定部３５を備える。第１判定部２５と第２判定部３５の詳細については、実施の形態２以降で説明する。
【０１０２】
第１判定部２５は、第１ブランチ５の受信状態を判定し、判定結果を制御部１０に出力する。同様に、第２判定部３５は、第２ブランチ６の受信状態を判定し、判定結果を制御部１０に出力する。
【０１０３】
ここで、第１判定部２５は、第１ブランチ５の受信状態に基づいて、第１ブランチ５を「停止ブランチ」もしくは「動作ブランチ」のいずれかとして判定し、この判定結果を制御部１０に出力する。
【０１０４】
同様に、第２判定部３５は、第２ブランチ６の受信状態に基づいて、第２ブランチ６を「停止ブランチ」もしくは「動作ブランチ」のいずれかとして判定し、この判定結果を制御部１０に出力する。
【０１０５】
なお、第１判定部２５は、ＦＦＴ２２の出力を用いて、第１ブランチ５の受信状態を判定する。第２判定部３５は、ＦＦＴ３２の出力を用いて、第２ブランチ６の受信状態を判定する。
【０１０６】
（制御部）
制御部１０は、ダイバーシティ受信装置１全体で必要となる制御を行う。例えば、受信したＯＦＤＭ信号の放送方式や変調方式を判断し、判断した結果に合わせて、第１ブランチ５、第２ブランチ６での受信や復調の方式を制御する。
【０１０７】
加えて、制御部１０は、第１ブランチ５の受信状態および第２ブランチ６の受信状態の少なくとも一方に基づいて、第１ブランチ５および第２ブランチ６の少なくとも一方の動作の停止と起動を制御する。
【０１０８】
このとき制御部１０は、第１判定部２５から出力される判定結果と第２判定部３５から出力される判定結果に基づいて、第１ブランチ５と第２ブランチ６の停止の制御を行う。「停止ブランチ」との判定結果を受けた場合には、対応するブランチが記憶する記憶値の初期化および対応するブランチで使用されているクロック信号の低減（クロック信号の停止を含む）の少なくとも一つを行う。
【０１０９】
（画像音声復号部）
画像音声復号部４０は、誤り訂正部９から出力されたパケットデータを、所定の方式により復号する。復号されたパケットデータは、画像、音声として再生され、ダイバーシティ受信装置１を備える携帯端末や移動端末において、ユーザが視聴できるようになる。
【０１１０】
（ダイバーシティ受信装置の動作）
次に、実施の形態１におけるダイバーシティ受信装置１の動作について説明する。
【０１１１】
第１ブランチ５は、アンテナ２およびチューナ１１で受信されたＯＦＤＭ信号を復調し（各部の詳細で説明した、各要素の動作により復調処理を行う）、第１キャリア群を出力する。
【０１１２】
第１キャリア群は、第１データキャリア、第１パイロットキャリアを含む。同様に、第２ブランチ６は、アンテナ３およびチューナ１２で受信されたＯＦＤＭ信号を復調し、第２キャリア群を出力する。第２キャリア群は、第２データキャリアと第２パイロットキャリアを含む。
【０１１３】
第１判定部２５は、第１ブランチ５の受信状態を判定し、「停止ブランチ」もしくは「動作ブランチ」のいずれかの判定結果を制御部１０に出力する。同様に、第２判定部３５は、第２ブランチ６の受信状態を判定し、「停止ブランチ」もしくは「動作ブランチ」のいずれかの判定結果を制御部１０に出力する。
【０１１４】
制御部１０は、第１判定部２５と第２判定部３５の判定結果を受けて、第１ブランチ５と第２ブランチ６の動作の停止と起動を制御する。以下、場合分けして説明する。
【０１１５】
（いずれのブランチも動作ブランチの場合）
第１判定部２５と第２判定部３５のそれぞれが、第１ブランチ５と第２ブランチ６を「動作ブランチ」として判定した場合には、第１ブランチ５と第２ブランチ６のそれぞれは、受信および復調動作を行う。
【０１１６】
アンテナ２は、ＯＦＤＭ信号を受信する。チューナ１１は、アンテナ２が受信したＯＦＤＭ信号から設定された所望の帯域のＯＦＤＭ信号を受信して、受信信号をアナログデジタル変換部２０に出力する。アナログデジタル変換部２０は、アナログ信号である受信信号を、所定の分解能に従ってデジタル信号に変換する。
【０１１７】
検波部２１は、直交検波などにより、アナログデジタル変換部２０の出力を検波して、ＦＦＴ２２に出力する。ＦＦＴ２２は、検波後の受信信号を、時間軸の信号から周波数軸の信号に変換して、第１判定部２５と第１波形等化部２３に出力する。
【０１１８】
第１判定部２５は、ＦＦＴ２２の出力に含まれる第１パイロットキャリアや第１データキャリアの振幅や振幅の変化により、第１ブランチ５を「動作ブランチ」もしくは「停止ブランチ」として判定し、判定結果を制御部１０に出力する。ここでは、第１判定部２５は、第１ブランチ５を「動作ブランチ」として判定している。
【０１１９】
第１波形等化部２３は、ＦＦＴ２２が出力した第１データキャリアの振幅と位相を補正すると共に、第１データキャリアの信頼性を示す第１信頼性値を算出して出力する。信頼性とは、第１データキャリア群のデータキャリアのそれぞれの受信状態の良し悪しを示す指標である。第１波形等化部２３は、振幅と位相が既知であるパイロットキャリアの理想の振幅と位相と、実際に受信して復調した第１パイロットキャリアの振幅と位相との複素除算により求まる伝送路応答をパラメータにして、第１データキャリアの振幅と位相を補正する。
【０１２０】
第２ブランチ６においても、第１ブランチ５と同様の復調処理がなされる。また、ここでは、第２ブランチ６も「動作ブランチ」として判定される。
【０１２１】
なお、タイミング調整部７は、図３、図４を用いて説明したように、ＦＦＴ２２とＦＦＴ３２における復調の処理タイミングを同期させる。
【０１２２】
ここでは、第１ブランチ５と第２ブランチ６のいずれも「動作ブランチ」であるので、第１ブランチ５は、第１信頼性値と第１データキャリアを合成・選択部８に出力し、第２ブランチ６は、第２信頼性値と第２データキャリアを合成・選択部８に出力する。
【０１２３】
合成・選択部８は、第１ブランチ５と第２ブランチ６のそれぞれが「動作ブランチ」であるので、それぞれから出力される第１信頼性値と第２信頼性値に従って、第１データキャリアと第２データキャリアの合成もしくは選択を行う。
【０１２４】
例えば、図５に示されるように、第１信頼性値と第２信頼性値に従って、第１データキャリアと第２データキャリアを最大比合成する。
【０１２５】
あるいは、第１信頼性値と第２信頼性値のうち、値の大きいデータキャリアが選択される。
【０１２６】
このように、キャリア毎に合成もしくは選択が行われることで、受信精度が向上する。
【０１２７】
（第１ブランチ５が停止ブランチで第２ブランチ６が動作ブランチの場合）
ここでは、第１ブランチ５が「停止ブランチ」として判定された場合について説明する。
【０１２８】
第１判定部２５は、ＦＦＴ２２から出力された第１パイロットキャリアの振幅や振幅の変化に基づいて、所定の状態においては、第１ブランチ５を「停止ブランチ」と判定する。
【０１２９】
この判定結果は、制御部１０に出力される。
【０１３０】
制御部１０は、第１ブランチ５が「停止ブランチ」としての判定結果を受けて、第１ブランチ５の停止処理を行う。停止処理は、第１ブランチ５が記憶する記憶値の初期化および第１ブランチ５で使用されるクロック信号の低減（停止を含む）の少なくとも一つの処理を含む。
【０１３１】
より具体的には、制御部１０は、第１ブランチ５に対して、図６に示される処理を行う。
【０１３２】
図６は、本発明の実施の形態１における停止処理を説明するタイミングチャートである。
【０１３３】
図６には、上から停止制御信号１００、ブランチリセット信号１０１、クロック制御信号１０２、クロック信号１０３が示されている。
【０１３４】
制御部１０は、この停止制御信号１００を、第１ブランチ５から受ける。この停止制御信号を受けて、制御部１０は、ブランチリセット信号１０１、クロック制御信号１０２を生成して出力する。ここで、制御部１０は、停止制御信号１００に基づいて、まず第１ブランチ５の記憶する記憶値を初期化するブランチリセット信号１０１を生成する。第１ブランチ５が記憶する記憶値は、このブランチリセット信号１０１により、初期化される。例えば、第１ブランチ５に含まれるメモリやフリップフロップなどの記憶素子が記憶する記憶値が、値「０」や値「１」などに初期化される（どのような値に初期化されるのかは、ダイバーシティ受信装置１の設計仕様に応じる）。
【０１３５】
記憶値の初期化に用いられるブランチリセット信号１０１に続いて、クロック制御信号１０２が生成される。クロック制御信号１０２は、第１ブランチ５で使用されるクロック信号の停止を含む低減を制御する。なお、第１ブランチ５で使用されるクロック信号は、第１ブランチ５内部のクロック信号を必要とする順序回路素子に入力するクロック信号であり、このクロック信号は、第１ブランチ５の外部から第１ブランチ５に供給されても良く、第１ブランチ５内部で生成されてもよい。
【０１３６】
第１ブランチ５で使用されるクロック信号は、必要に応じて分周されたり逓倍されたりしたクロック信号を広く含む。
【０１３７】
クロック制御信号１０２がアクティブになることにより、第１ブランチ５のクロック信号は、低減もしくは停止される。図６では、クロック制御信号１０２がアクティブ期間において（図６では、Ｈｉｇｈレベルの状態）クロック信号１０３が、停止する。
【０１３８】
このとき、クロック信号の停止のタイミングより前に、第１ブランチ５が記憶する記憶値が初期化されているので、クロック信号の停止により、記憶素子の記憶する値が不適切に上書きされることはない。このため、停止ブランチとなった第１ブランチ５から、不適切な値の信号が出力されることが無いため、合成・選択部８が誤動作を起こすことがない。特に、第１ブランチ５が、停止ブランチから動作ブランチに変化する場合においても、不適切な値の信号が出力されることが無いので、合成・選択部８が誤動作を起こすことがない。
【０１３９】
また、停止ブランチとなった第１ブランチ５のクロック信号が低減もしくは停止されることで、ダイバーシティ受信装置１の消費電力が削減できる。ここで、「停止ブランチ」として判定された第１ブランチ５で復調された第１データキャリアは、その受信精度や信頼性が低く、合成・選択部８においてキャリア毎の合成に用いられると、却って受信精度が劣化する可能性がある。このような状態にある第１ブランチ５の動作を継続するよりは、クロック信号を停止させて動作を停止させることで消費電力が削減できることのほうが、ユーザビリティが高まる。
【０１４０】
なお、制御部１０は、合成・選択部８に対して、第１データキャリアと第２データキャリアのキャリア毎の合成を行わないように指示を出すことで、第１データキャリアを合成の対象外としてよい。あるいは、制御部１０は、第１ブランチ５の初期化において、第１ブランチ５から出力される第１信頼性値を全て値「０」に固定することで、合成・選択部８での合成における第１データキャリアの寄与度を低下あるいは消滅させてもよい。あるいは、制御部１０が、合成・選択部８に対して、必ず第２データキャリアを選択するように指示することでも良い。
【０１４１】
いずれにしても、第１ブランチ５は、ダイバーシティ受信において使用されないブランチとなり、実施の形態１においては、第２ブランチ６による通常の受信が行われる。
【０１４２】
なお、ブランチが３以上である場合には、動作ブランチとして判定されたブランチによるキャリア毎のダイバーシティ受信が行われる。ダイバーシティ受信装置１が備えるブランチの数については、本明細書では特に限定しない。
【０１４３】
制御部１０は、第１ブランチ５から出力される第１データキャリアのキャリア毎のダイバーシティにおける寄与度を低下もしくは消滅させつつ、消費電力を削減できるようにクロック信号の低減や停止を行う。同時に、制御部１０は、ダイバーシティ受信装置１の誤動作を防止するために、第１ブランチ５の記憶する記憶値を初期化する。
【０１４４】
（第１ブランチ５が動作ブランチで第２ブランチ６が停止ブランチの場合）
また、第１ブランチ５が動作ブランチで、第２ブランチ６が停止ブランチとして判定された場合には、制御部１０は、第２ブランチ６の記憶する記憶値の初期化と、クロック信号の停止や低減を行う。
【０１４５】
この場合には、合成・選択部８は、第２ブランチ６の復調した第２データキャリアの寄与度を低下あるいは消滅させて処理を行う。
【０１４６】
なお、制御部１０は、第１ブランチ５と第２ブランチ６が、停止ブランチから動作ブランチに変更される場合には、まずクロック制御信号１０２を解除してクロック信号を元に戻し、その後にブランチリセット信号１０１を解除して、初期化状態を解除する。このような手順で処理が行われることで、誤動作が防止できる。
【０１４７】
以上のように、実施の形態１におけるダイバーシティ受信装置１により、受信状態の劣化したブランチは、ダイバーシティ受信の対象外とされるので、受信精度の劣化が防止できる。また、停止ブランチとなるブランチの記憶値が初期化されることで、停止ブランチの発生による誤動作が防止できる。また、停止ブランチのクロック信号が停止もしくは低減されることで、不要な消費電力が削減できる。
【０１４８】
（実施の形態２）
次に、図７を用いて実施の形態２について説明する。
【０１４９】
図７は、本発明の実施の形態２におけるダイバーシティ受信装置のブロック図である。
【０１５０】
図１と異なり、第１ブランチ５と第２ブランチ６のそれぞれは、周波数オフセット量を補正する補正部（図中においては「ＡＦＣ」と表記）を備えている。
【０１５１】
周波数オフセット量は、チューナ１１、１２で使用される中心周波数と検波部２１、３１で検波に用いられる周波数との差により生じる検波精度の低下を防止するために用いられるオフセット量である。
【０１５２】
補正部２６、３６は、この周波数オフセット量を算出する。更に、補正部２６、３６は、算出した周波数オフセット量を用いて検波部２１、３１での検波に用いる周波数を補正する。
【０１５３】
ここで、周波数オフセット量は、同じ帯域のＯＦＤＭ信号を受信している限りでは、その値が変化することはほとんどない。これは、チューナ１１、１２に中心周波数を与えるローカル周波数発信器の設定周波数に依存するからで、受信帯域が変わらなければ、チューナ１１、１２での中心周波数と検波部２１、３１での検波に用いられる周波数との差分には変化がほとんど生じないからである。
【０１５４】
このため、制御部１０は、停止ブランチとなった第１ブランチ５もしくは第２ブランチ６が記憶する記憶値の初期化において、補正部２６、３６が記憶している周波数オフセット量を、初期化せずにそのまま保持する。
【０１５５】
このように、周波数オフセット量が初期化されずに保持されることで、停止ブランチから動作ブランチに変化した場合に、このブランチの復調が再開する際に周波数オフセット量を再度算出する必要が無くなる。結果として、再開後の検波部２１、３１の動作開始までの時間が短縮できる。
【０１５６】
以上のように、実施の形態２におけるダイバーシティ受信装置１は、受信状態の劣化したブランチの再開後における復調動作の開始時間を短縮できる。
【０１５７】
（実施の形態３）
次に実施の形態３について説明する。
【０１５８】
実施の形態３では、第１判定部２５、第２判定部３５のそれぞれにおける判定処理について説明する。第１判定部２５は、第１ブランチ５の受信状態を判定して、第１ブランチ５を、「停止ブランチ」もしくは「動作ブランチ」のいずれかとして判定する。同様に、第２判定部３５は、第２ブランチ６の受信状態を判定して、第２ブランチ６を、「停止ブランチ」もしくは「動作ブランチ」のいずれかとして判定する。
【０１５９】
（受信状態の判定の第１例）
第１判定部２５は、ＦＦＴ２２から出力される第１パイロットキャリアの振幅値および変化値の少なくとも一方に基づいて受信状態を判定する。同様に、第２判定部３５は、ＦＦＴ３２から出力される第２パイロットキャリアの振幅値および変化値の少なくとも一方に基づいて受信状態を判定する。
【０１６０】
図８を用いて、第１判定部２５と第２判定部３５での受信状態の判定の一例を説明する。図８は、本発明の実施の形態３における第１判定部の内部ブロック図である。なお、第２判定部３５の内部ブロック図も同様であり、第２判定部３５の動作も同様である。
【０１６１】
ＦＦＴ２２の出力信号は、遅延回路２５ａと、複素乗算回路２５ｃに入力する。遅延回路２５ａは、ＦＦＴ２２から出力された４シンボル分遅延された第１キャリア群を出力する。複素共役回路２５ｂは、遅延回路２５ａの出力する第１キャリア群の複素共役を算出する。複素乗算回路２５ｃは、ＦＦＴ２２の出力する４シンボル分の遅延のない第１キャリア群と、複素共役回路２５ｂの出力を複素乗算する。
【０１６２】
ここで、パイロットキャリアは、一定位相、一定振幅を有する。このため、複素乗算回路２５ｃの出力ベクトルは、同一方向を有する。複素加算回路２５ｄは、複素乗算されたパイロットキャリアを抽出して、ＯＦＤＭ信号のシンボルの全体に渡ってアナログ的な加算演算を行う。
【０１６３】
振幅算出回路２５ｅは、複素加算回路２５ｄの出力を用いて、パイロットキャリアのベクトルの大きさを算出する。このベクトルの大きさは、第１キャリア群に含まれる第１パイロットキャリアの振幅値を示す。
【０１６４】
判定回路２５ｆは、所定の閾値とこの振幅値を比較する。判定回路２５ｆは、振幅値が、所定の閾値よりも大きい場合には、第１ブランチ５を「動作ブランチ」として判定し、振幅値が、所定の閾値以下の場合には、第１ブランチ５を「停止ブランチ」として判定する。第２判定部３５も同様の処理により、第２ブランチ６を「動作ブランチ」もしくは「停止ブランチ」のいずれかとして判定する。
【０１６５】
（受信状態の判定の第２例）
次に、受信状態の判定の他の方式について、図９を用いて説明する。図９に示される判定部は、振幅値の変化状態である変化値を算出する。
【０１６６】
図９は、本発明の実施の形態３における第１判定部の内部ブロック図である。なお、第２判定部３５の内部ブロック図も同様である。図８と同じ符号を付している要素は、図８を用いて説明した要素と同等の機能を有する。すなわち、ＦＦＴ２２の出力に対して、遅延回路２５ａから、振幅算出回路２５ｅまでの処理により、第１パイロットキャリアの振幅値が算出される。
【０１６７】
遅延回路２５ｇは、振幅算出回路２５ｅの出力を、シンボル単位で遅延させる。減算回路２５ｈは、振幅算出回路２５ｅの出力と遅延回路２５ｇの出力との差分を算出する。すなわち、１シンボル前における第１パイロットキャリアの振幅値と現在の第１パイロットキャリアの振幅値との差分が得られる。
【０１６８】
ここで、遅延回路２５ｇより出力される第１パイロットキャリアの振幅値は、ある時間的なタイミングを示す第１タイミングにおける、第１パイロットキャリアの振幅値であり、遅延回路２５ｇを経由せずに減算回路２５ｈと判定回路２５ｉに入力する第１パイロットキャリアの振幅値は、第１タイミングに対して時間的に後の第２タイミングにおける第１パイロットキャリアの振幅値である。すなわち、減算回路２５ｈには、第１タイミングにおける第１パイロットキャリアの振幅値と、これより時間的に遅い第２タイミングにおける第１パイロットキャリアの振幅値との両方が入力する。減算回路２５ｈは、この２つのタイミングにおける第１パイロットキャリアの振幅値の差分を算出できる。
【０１６９】
判定回路２５ｉは、第２タイミングにおける第１パイロットキャリアの振幅値を第１閾値と比較して第２タイミングにおける受信状態を判定する。一方、判定回路２５ｊは、第１タイミングと第２タイミングとの振幅の差分値を第２閾値と比較して、受信状態の時間的な変化を判定する。すなわち、図９に示される判定部によれば、ある時点での受信状態のみならず、一定の時間の経過に対応する受信状態の変化も判定できる。
【０１７０】
判定回路２５ｉは、現在のシンボルに含まれる第１パイロットキャリアの振幅値を、所定の第１閾値と比較する。すなわち、判定回路２５ｉは、現在のシンボルに含まれる第１パイロットキャリアの振幅値から、受信状態を判定する。
【０１７１】
更に、判定回路２５ｊは、減算回路２５ｈの出力、すなわち現在のシンボルに含まれる第１パイロットキャリアの振幅値と１つ前のシンボルに含まれる第１パイロットキャリアの振幅値との差分値を、第２閾値と比較する。差分値を第２閾値と比較することで、受信状態の変化を判定することができる。
【０１７２】
すなわち、判定回路２５ｉにおいて、現在の受信状態が把握され、判定回路２５ｊにおいて、受信状態の変化が把握される。
【０１７３】
ＡＮＤ回路２５ｋは、判定回路２５ｉと判定回路２５ｊの両方の結果が適正である場合に、第１ブランチ５を「動作ブランチ」として判定する。
【０１７４】
また、一定の時間変化における受信状態の変化に基づいた判定であると、図１０、図１１に示される判定方法を用いてもよい。
【０１７５】
図１０、図１１を用いて、時間的な受信状態の変化を考慮した、「動作ブランチ」と「停止ブランチ」の判定について説明する。図１０、図１１は、本発明の実施の形態３における判定部の判定処理を説明する説明図である。
【０１７６】
図１０は、第１タイミングにおける第１パイロットキャリアの振幅値と第２タイミングにおける第１パイロットキャリアの振幅値の差分を、所定の閾値と比較することで、動作ブランチと停止ブランチの判定を行う処理を示している。
【０１７７】
図１０においては、第２タイミングにおける第１パイロットキャリアの振幅値が、第１タイミングにおける第１パイロットキャリアの振幅値に対して所定の閾値よりも大きい場合には、第１判定部２５は、第１ブランチ５を「動作ブランチ」として判定する。これに対して、第２タイミングにおける第１パイロットキャリアの振幅値が、第１タイミングにおける第１パイロットキャリアの振幅値に対して所定の閾値以下の場合には、第１判定部２５は、第１ブランチ５を「停止ブランチ」として判定する。
【０１７８】
また図１１においては、第２タイミングにおける第１パイロットキャリアの振幅値が、第１タイミングにおける第１パイロットキャリアの振幅値よりも大きい場合には、第１判定部２５は、第１ブランチ５を「動作ブランチ」として判定する。これに対して、第２タイミングにおける第１パイロットキャリアの振幅値が、第１タイミングにおける第１パイロットキャリアの振幅値以下の場合には、第１判定部２５は、第１ブランチ５を「停止ブランチ」として判定する。
【０１７９】
図９に示される判定部により、例えば、フェージングの発生などで急激に受信状態が変化する場合であっても、この変化を考慮した上でブランチの受信状態を判定できる。
【０１８０】
例えば、現在の受信状態は良好であったにもかかわらず、フェージングの発生により急激に受信状態が劣化した場合に、受信状態を不適正と判定でき、より正確な受信状態の判定ができる。
【０１８１】
（受信状態の判定の第３例）
次に、受信状態の判定の更なる他の方式について、図１２を用いて説明する。図１２に示される判定部は、ブランチ毎の受信状態の差分に基づいて、各ブランチの受信状態を判定する。
【０１８２】
図１２は、本発明の実施の形態３における第１判定部と第２判定部のブロック図である。
【０１８３】
図１２では、第１判定部２５と第２判定部３５に加えて、第１ブランチ５と第２ブランチ６との間の差分を把握する減算回路８０と、差分に基づいて判定する判定回路８１が設けられている。
【０１８４】
減算回路８０は、振幅算出回路２５ｅの出力と振幅算出回路３５ｅの出力との差分を算出する。この差分は、第１ブランチ５と第２ブランチ６とでの、受信されたパイロットキャリアの受信レベルの差を表す。判定回路８１は、減算回路８０での減算結果を所定の第３閾値と比較し、判定結果を、ＡＮＤ回路２５ｍ、３５ｍに出力する。判定回路は、減算回路８０で算出された２つのブランチ間での受信レベルの差分を、所定の第３閾値と比較しているのであるから、２つのブランチ間での受信レベル差が大きいのか小さいのかが判定される。更に、いずれのブランチの受信状態が低いのかも判定される。
【０１８５】
例えば、第１ブランチ５の受信レベルが、第２ブランチ６の受信レベルよりも大きく、更に、その差分が第３閾値以上の場合には、判定回路８１は、ＡＮＤ回路２５ｍには適正との判定結果を、ＡＮＤ回路３５ｍには、不適正との判定結果を出力する。この結果、第２ブランチ６におけるパイロットキャリアの振幅が一定以上ある場合でも、第１ブランチ５での受信レベルの差異が大きすぎる場合には、第２ブランチ６は、「停止ブランチ」として判定される。
【０１８６】
（受信状態の判定の第４例）
次に、受信状態の判定の更なる他の方式について、図１３を用いて説明する。図１３に示される判定部は、復調されたキャリア群に含まれるデータキャリアの振幅とパイロットキャリアの振幅を比較することで、当該ブランチの受信状態を判定する。
【０１８７】
図１３は、本発明の実施の形態３における第１判定部のブロック図である。なお、第２判定部３５についても同じ構成をとるものとする。図１２と同じ符号が付された要素は、図１２で説明したものと同等の機能を有する。
【０１８８】
複素乗算回路２５ｃの出力は、複素加算回路２５ｄと、複素加算回路２５ｎとにそれぞれ入力する。複素加算回路２５ｄは、キャリア群の内パイロットキャリアを抽出して複素加算を行い、振幅算出回路２５ｅは、パイロットキャリアの振幅を算出する。
【０１８９】
これに対して、複素加算回路２５ｎは、キャリア群の内データキャリアを抽出して複素加算を行い、振幅算出回路２５ｏは、データキャリアの振幅を算出する。比較回路２５ｐは、振幅算出回路２５ｅで算出されたパイロットキャリアの振幅値を所定のキャリア数積算する。これと共に振幅算出回路２５ｏで算出されたデータキャリアの振幅値を所定のキャリア数積算する。
【０１９０】
パイロットキャリアは、理想的には同一の振幅と位相を有しているので、パイロットキャリアの振幅値の積算値は、時間の経過と共に一定の大きさを有するようになる。これに対して、受信状態が悪い場合には、パイロットキャリアの振幅と位相がランダムになりがちであるので、積算値が小さくなる傾向がある。
【０１９１】
これに対して、データキャリアは、振幅や位相がランダムであるため、複素加算回路２５ｎにおいてベクトル的な加算が行われることで、複素加算回路２５ｎの出力（すなわちデータキャリアの振幅値）の積算値は、値「０」に漸近する。
【０１９２】
比較回路２５ｐは、キャリア群に含まれるパイロットキャリアの振幅値の積算値とデータキャリアの振幅値の積算値を比較する。さらに、その上で、パイロットキャリアの積算値とデータキャリアの積算値の差分を第４閾値と比較する。
【０１９３】
受信状態が良好であれば、パイロットキャリアの積算値は、データキャリアの積算値に対して十分に大きくなるはずである。このため、比較回路２５ｐは、パイロットキャリアの積算値がデータキャリアの積算値よりも大きく、その差分が所定の第４閾値よりも大きい場合には、このブランチを、「動作ブランチ」として判定する。逆に、その差分が所定の第４閾値以下の場合には、このブランチを、「停止ブランチ」として判定する。
【０１９４】
このように、所定のキャリア数に対応するデータキャリアとパイロットキャリアの振幅値の積算値を比較することで、精度の高い受信状態の判定ができる。
【０１９５】
なお、実施の形態３においては、受信状態の判定について４つの例を用いて説明したが、これらの例に限られるものではない。
【０１９６】
第１判定部２５と第２判定部３５は、以上のような処理にて判定した判定結果を、制御部１０に出力する。制御部１０は、実施の形態１、２で説明されたとおり、判定結果を受けて、第１ブランチ５、第２ブランチ６を制御する。すなわち、停止ブランチと判定されたブランチが記憶する記憶値を初期化し、このブランチのクロック信号を停止もしくは低減する。
【０１９７】
実施の形態３におけるダイバーシティ受信装置１は、第１ブランチ５と第２ブランチ６の受信状態を容易かつ正確に判定できる。この判定結果に基づく制御により、ダイバーシティ受信の受信精度の劣化が防止でき、消費電力も削減できる。
【０１９８】
（実施の形態４）
次に、図１４を用いて実施の形態４について説明する。
【０１９９】
図１４は、本発明の実施の形態４におけるダイバーシティ受信装置のブロック図である。
【０２００】
図１に示されたダイバーシティ受信装置１に、命令出力部５０が新たに設けられている。図１と同じ符号を付した要素は、図１を用いて説明したのと同等の機能を有する。
【０２０１】
命令出力部５０は、停止ブランチとなっているブランチの動作の起動を、制御部１０に出力する。例えば、ダイバーシティ受信装置１の外部からのユーザーによる起動ボタンのアクティブにより、命令出力部５０は、生成した起動信号を制御部１０に出力する。
【０２０２】
制御部１０は、起動に係る指示信号を受けて「停止ブランチ」の動作を再開させる。
【０２０３】
例えば、第１ブランチ５が停止ブランチになっており、第２ブランチ６が動作ブランチとする。制御部１０は、停止ブランチとなっている第１ブランチ５を起動させる指示信号を受けると、まずクロック制御信号１０２を解除してクロック信号を本来の周波数の信号に戻す。次いで、制御部１０は、ブランチリセット信号１０１を解除して、ブランチの記憶する初期化を解除する。初期化の解除の結果、ブランチに含まれるメモリやフリップフロップは、演算により生成された値を新たに記憶し始める。
【０２０４】
このように、まずクロック信号が再開され、次いで初期化が解除されることで、停止ブランチから動作ブランチに移行したブランチが、誤動作を生じることがない。また、実施の形態２で説明したように、補正部の記憶する周波数オフセット量は、初期化されずに初期化前の値が残っているので、チューナ１１、１２や検波部２１、３１は、即座に動作可能である。
【０２０５】
以上のようなダイバーシティ受信装置により、一旦停止ブランチと判定され、動作が停止していたブランチについても、必要に応じて動作を再開させることができる。すなわち、ユーザビリティの高いダイバーシティ受信装置が実現できる。
【０２０６】
なお、停止ブランチを再起動させたい場合とは、例えば、受信環境がよくなって、ユーザーが停止しているブランチも用いてダイバーシティ受信を再開させたい場合、あるいは単一ブランチ受信で受信状態が不良であるためにダイバーシティ受信を再開させたい場合などである。。
【０２０７】
また、命令出力部５０は、ユーザーからの制御に従って、動作しているブランチを強制的に停止させるための、停止に係る指示信号を制御部１０に出力するようにしても良い。
【０２０８】
例えば、ダイバーシティ受信による受信環境が劣化してきた場合、あるいは単一ブランチ動作でも受信環境が良好であるので消費電力を低下させたい場合などである。
【０２０９】
このように、ブランチ毎の受信状態が判定され、受信状態が不良と判定されたブランチに対しては、クロック信号の低減もしくは停止が行われることで、消費電力が削減される。また、クロック信号の低減もしくは停止に先立って、記憶値の初期化が行われることで、復帰後の誤動作を防止できる。
【０２１０】
なお、実施の形態１から４においては、第１ブランチ５と第２ブランチ６を備えるダイバーシティ受信装置１を例として説明したが、３以上のブランチを備えていても良い。
【０２１１】
また、ダイバーシティ受信装置１の一部もしくは全部は、ハードウェアで構成されても、ソフトウェアで構成されても良い。また、ダイバーシティ受信装置１の一部もしくは全部は、半導体集積回路で構成されても良い。
【０２１２】
ソフトウェアで構成される場合には、プロセッサとプログラムを記憶したＲＯＭやＲＡＭなどが備えられて、必要な処理が行われる。
【０２１３】
ＣＰＵは、ＲＯＭやＲＡＭに記憶されたプログラムを読み込む。次いで、ＣＰＵは、読み込んだプログラムを使用して、ＯＦＤＭ信号の受信、ＯＦＤＭ信号の復調、受信状態の判定およびダイバーシティ受信の処理を行う。
【０２１４】
なお、ダイバーシティ受信装置１は、据え置き型のテレビやＡＶ機器、コンピュータなどに加えて、移動端末（携帯端末、携帯電話、車載テレビ、カーナビゲーションシステム、携帯型テレビ、携帯型ラジオ、ノートブック型パソコン）に搭載されて利用される。特に、受信精度の向上と低消費電力の両方が求められる電子機器に好適に利用される。
【産業上の利用可能性】
【０２１５】
本発明は、例えば、地上デジタル放送を受信する携帯端末や移動端末に含まれるダイバーシティ受信装置の分野等において好適に利用できる。
【国際調査報告】
2008007490.tif 000017
2008007490.tif 000018
2008007490.tif 000019
2008007490.tif 000020